(57)【特許請求の範囲】
【請求項１】
複数の有機発光ダイオードおよび前記複数の有機発光ダイオードそれぞれに供給される駆動電流を制御する複数の駆動トランジスタを含む複数の画素、および前記複数の画素に駆動電圧を供給する第１電源電圧と第２電源電圧を含む表示装置の駆動方法であって、
前記複数の画素は、所定の方向に対して交互に配置された第１グループ画素と第２グループ画素とを含み、
前記第１グループ画素の複数の第１有機発光ダイオードそれぞれのアノード電圧をリセットさせる第１リセット期間、前記第１グループ画素の複数の第１駆動トランジスタそれぞれの閾値電圧を補償する第１補償期間、前記複数の第１駆動トランジスタそれぞれに対応するデータ信号を伝達する第１走査期間、および前記複数の第１駆動トランジスタによって制御される複数の駆動電流によって前記複数の第１有機発光ダイオードが同時に発光する第１発光期間を含む第１フィールド、および
前記第２グループ画素の複数の第２有機発光ダイオードそれぞれのアノード電圧をリセットさせる第２リセット期間、前記第２グループ画素の複数の第２駆動トランジスタそれぞれの閾値電圧を補償する第２補償期間、および前記複数の第２駆動トランジスタそれぞれに対応するデータ信号を伝達する第２走査期間、および前記複数の第２駆動トランジスタによって制御される複数の駆動電流によって前記複数の第２有機発光ダイオードが同時に発光する第２発光期間を含む第２フィールドを含み、
前記第１グループ画素に供給される第１電源電圧が前記第１発光期間を除いた残りの期間の電圧レベルと前記第１発光期間の電圧レベルが異なり、前記第１グループ画素に供給される第２電源電圧が前記第１リセット期間を除いた残りの期間の電圧レベルと前記第１リセット期間の電圧レベルが異なり、
前記第２グループ画素に供給される第１電源電圧が前記第２発光期間を除いた残りの期間の電圧レベルと前記第２発光期間の電圧レベルが異なり、前記第２グループ画素に供給される第２電源電圧が前記第１リセット期間を除いた残りの期間の電圧レベルと前記第２リセット期間の電圧レベルが異なり、
前記第１フィールドと前記第２フィールドとの一部の期間が互いに重なり合い、
前記第１発光期間と前記第２リセット期間とが互いに重ならず、前記第２発光期間と前記第１リセット期間とが互いに重ならない、
表示装置の駆動方法。
【請求項２】
複数の有機発光ダイオードおよび前記複数の有機発光ダイオードそれぞれに供給される駆動電流を制御する複数の駆動トランジスタを含む複数の画素、および前記複数の画素に駆動電圧を供給する第１電源電圧と第２電源電圧を含む表示装置の駆動方法であって、
前記複数の画素は、所定の方向に対して交互に配置された第１グループ画素と第２グループ画素とを含み、
前記第１グループ画素の複数の第１有機発光ダイオードそれぞれのアノード電圧をリセットさせる第１リセット期間、前記第１グループ画素の複数の第１駆動トランジスタそれぞれの閾値電圧を補償する第１補償期間、前記複数の第１駆動トランジスタそれぞれに対応するデータ信号を伝達する第１走査期間、および前記複数の第１駆動トランジスタによって制御される複数の駆動電流によって前記複数の第１有機発光ダイオードが同時に発光する第１発光期間を含む第１フィールド、および
前記第２グループ画素の複数の第２有機発光ダイオードそれぞれのアノード電圧をリセットさせる第２リセット期間、前記第２グループ画素の複数の第２駆動トランジスタそれぞれの閾値電圧を補償する第２補償期間、および前記複数の第２駆動トランジスタそれぞれに対応するデータ信号を伝達する第２走査期間、および前記複数の第２駆動トランジスタによって制御される複数の駆動電流によって前記複数の第２有機発光ダイオードが同時に発光する第２発光期間を含む第２フィールドを含み、
前記第１フィールドと前記第２フィールドとの一部の期間が互いに重なり合い、
前記第１発光期間と前記第２リセット期間とが互いに重ならず、前記第２発光期間と前記第１リセット期間とが互いに重ならない、表示装置の駆動方法。
【請求項３】
複数の有機発光ダイオードおよび前記複数の有機発光ダイオードそれぞれに供給される駆動電流を制御する複数の駆動トランジスタを含む複数の画素、および前記複数の画素に駆動電圧を供給する第１電源電圧と第２電源電圧を含む表示装置の駆動方法であって、
前記複数の画素は、所定の方向に対して交互に配置された第１グループ画素と第２グループ画素とを含み、
前記第１グループ画素の複数の第１有機発光ダイオードそれぞれのアノード電圧をリセットさせる第１リセット期間、前記第１グループ画素の複数の第１駆動トランジスタそれぞれの閾値電圧を補償する第１補償期間、前記複数の第１駆動トランジスタそれぞれに対応するデータ信号を伝達する第１走査期間、および前記複数の第１駆動トランジスタによって制御される複数の駆動電流によって前記複数の第１有機発光ダイオードが同時に発光する第１発光期間を含む第１フィールド、および
前記第２グループ画素の複数の第２有機発光ダイオードそれぞれのアノード電圧をリセットさせる第２リセット期間、前記第２グループ画素の複数の第２駆動トランジスタそれぞれの閾値電圧を補償する第２補償期間、および前記複数の第２駆動トランジスタそれぞれに対応するデータ信号を伝達する第２走査期間、および前記複数の第２駆動トランジスタによって制御される複数の駆動電流によって前記複数の第２有機発光ダイオードが同時に発光する第２発光期間を含む第２フィールドを含み、
前記第１フィールドと前記第２フィールドとの一部の期間が互いに重なり合い、
前記第１走査期間が終了した時点から前記第１発光期間が開始する時点までの第１期間と、前記第２走査期間が終了した時点から前記第２発光期間が開始する時点までの第２期間が互いに異なり、前記第１発光期間と前記第２発光期間が重ならない範囲で、前記第１期間が前記第２期間よりも長い、表示装置の駆動方法。
【請求項４】
前記表示装置に入力される映像ソース信号が立体映像を表示する場合、前記第１発光期間に前記映像ソース信号による第１視点の画像が表示され、前記第１発光期間に隣接する第２発光期間に前記映像ソース信号による前記第１視点と異なる第２視点の画像が表示される段階をさらに含む、請求項３に記載の表示装置の駆動方法。
【請求項５】
前記映像ソース信号で前記第１視点の第１映像信号を区分し、前記第１映像信号をフレーム単位で区分し、前記映像ソース信号で前記第２視点の第２映像信号を区分し、前記第２映像信号をフレーム単位で区分する段階、
前記フレーム単位の第１映像信号は、前記第１発光期間および前記隣接する第２発光期間に区分されて表示される段階、及び
前記フレーム単位の第２映像信号は、前記第１発光期間の次の第１発光期間および前記次の第１発光期間に隣接する第２発光期間に区分されて表示される段階をさらに含む、請求項４に記載の表示装置の駆動方法。
【請求項６】
前記第１映像信号のうちの前記第１グループ画素に対応するデータ信号を示す信号、前記第１映像信号のうちの前記第２グループ画素に対応するデータ信号を示す信号、前記第２映像信号のうちの前記第１グループ画素に対応するデータ信号を示す信号、前記第２映像信号のうちの前記第２グループ画素に対応するデータ信号を示す信号の順に配列された映像信号を生成する段階をさらに含む、請求項５に記載の表示装置の駆動方法。
【発明の詳細な説明】
【技術分野】
【０００１】
本発明は表示装置およびその駆動方法に関し、より詳細には、アクティブマトリクス（Ａｃｔｉｖｅ  Ｍａｔｒｉｘ）タイプの表示装置およびその駆動方法に関する。
【背景技術】
【０００２】
表示装置は、ＮＴＳＣ方式の場合には１秒間に６０枚の画像を表示し、ＰＡＬ方式の場合には１秒間に５０枚の画像を表示する。表示装置がＮＴＳＣ方式によって立体映像を表示する場合、表示装置は１秒間に左眼用画像６０枚および右眼用画像６０枚を交互に表示しなければならない。したがって、立体映像を表示するための表示装置の駆動周波数は、表示装置が平面映像を表示するときに比べて少なくとも２倍以上でなければならない。
【０００３】
アクティブマトリクスタイプの表示装置の一フレームは、映像データを記入（ｐｒｏｇｒａｍｍｉｎｇ）するための走査（ｓｃａｎ）期間と、記入された映像データによって発光する発光期間とを含む。立体映像を表示するための場合、少なくとも１／１２０秒以内にデータの記入が完了されなければならないため、走査期間に全体表示パネルを走査して映像データを記入するために高い駆動周波数で動作するドライバが必要となる。高い駆動周波数のドライバは、生産単価を増加させる原因となる。
さらに、表示パネルのサイズが増加してその解像度が増加するほど表示パネルのＲＣ遅延が増加し、映像データの記入が困難になる。
【発明の概要】
【発明が解決しようとする課題】
【０００４】
本発明は、大型化および高解像度のうちの少なくとも１つを要求する環境において、立体映像または平面映像を表示することができる表示装置およびその駆動方法を提供することを目的とする。
【課題を解決するための手段】
【０００５】
本発明の一特徴に係る複数の画素を含む表示装置の駆動方法は、前記複数の画素のうちの第１グループ画素に第１走査期間の複数のデータ信号が伝達される段階、前記第１グループ画素が記入されたデータ信号によって前記第１走査期間に隣接した第１発光期間に同時に発光する段階、前記複数の画素のうちの第１グループ画素と異なる第２グループ画素に第２走査期間の複数のデータ信号が伝達される段階、および前記第２グループ画素が記入されたデータ信号によって前記第２走査期間に隣接した第２発光期間に同時に発光する段階を含み、前記第１走査期間および前記第１発光期間を含む第１フィールドおよび前記第２走査期間および前記第２発光期間を含む第２フィールドが時間的に区分されている。
【０００６】
前記第２フィールドは、前記第１フィールドに対して所定の期間だけ移動した時点に同期して駆動される。前記第１フィールドは、前記第１走査期間および前記第１発光期間で構成された第１フレームを複数含み、前記第２フィールドは、前記第２走査期間および前記第２発光期間で構成された第２フレームを複数含む。前記複数の第１フレームのうちの１つの第１フレームに時間的に隣接した第２フレームは、前記１つの第１フレームから前記所定の期間だけ移動している。
【０００７】
前記１つの第１フレームの第１走査期間が終了した時点から第１発光期間が開始する時点までの第１期間と、前記１つの第１フレームに隣接した前記第２フレームの第２走査期間が終了した時点から第２発光期間が開始する時点までの第２期間が互いに同じである。
前記表示装置の駆動方法は、前記表示装置に入力される映像ソース信号が立体映像を表示する場合、前記第１発光期間に前記映像ソース信号による第１視点（ｖｉｅｗ  ｐｏｉｎｔ）画像が表示され、前記第２発光期間に前記映像ソース信号による前記第１視点と異なる第２視点の画像が表示される段階をさらに含む。
【０００８】
前記表示装置の駆動方法は、前記映像ソース信号で第１視点（ｖｉｅｗ  ｐｏｉｎｔ）の第１映像信号を区分し、前記第１映像信号をフレーム単位で区分し、連続するフレーム単位の第１映像信号それぞれが示す第１視点画像の間の中間画像である第１補間画像を示す第１補間映像信号を生成する段階をさらに含む。
【０００９】
前記表示装置の駆動方法は、前記映像ソース信号で前記第２視点の第２映像信号を区分し、前記第２映像信号をフレーム単位で区分し、連続するフレーム単位の第２映像信号それぞれが示す第２視点画像の間の中間画像である第２補間画像を示す第２補間映像信号を生成する段階をさらに含む。
【００１０】
前記第１補間映像信号は、前記第１映像信号が表示されるフレームに隣接した第１フィールドフレームの発光期間に表示され、前記第２補間映像信号は、前記第２映像信号が表示されるフレームに隣接した第２フィールドフレームの発光期間に表示される。
前記表示装置の駆動方法は、前記第１映像信号のうちの前記第１グループ画素に対応するデータ信号を示す信号、前記第２映像信号のうちの前記第２グループ画素に対応するデータ信号を示す信号、前記第１補間映像信号のうちの前記第１グループ画素に対応するデータ信号を示す信号、前記第２補間映像信号のうちの前記第２グループ画素に対応するデータ信号を示す信号の順に配列された映像信号を生成する段階をさらに含む。
【００１１】
また、前記表示装置の駆動方法は、前記映像ソース信号で第１視点（ｖｉｅｗ  ｐｏｉｎｔ）の第１映像信号を区分し、前記第１映像信号をフレーム単位で区分し、連続するフレーム単位の第１映像信号それぞれが示す第１視点画像の間の中間画像である少なくとも２つのフレームの第１補間画像を示す第１補間映像信号を生成する段階をさらに含む。
前記表示装置の駆動方法は、前記映像ソース信号で前記第２視点の第２映像信号を区分し、前記第２映像信号をフレーム単位で区分し、連続するフレーム単位の第２映像信号それぞれが示す第２視点画像の間の中間画像である少なくとも２つのフレームの第２補間画像を示す第２補間映像信号を生成する段階をさらに含む。
【００１２】
前記少なくとも２つのフレームの第１補間映像信号のうちから選択された一フレーム単位の第１補間映像信号は、前記第１映像信号が表示されるフレームに隣接した第１フィールドフレームの第１発光期間に表示され、前記少なくとも２つのフレームの第２補間映像信号のうちから選択された一フレーム単位の前記第２補間映像信号は、前記第２映像信号が表示されるフレームに隣接した第２フィールドフレームの第２発光期間に表示される。
【００１３】
前記表示装置の駆動方法は、前記第１映像信号のうちの前記第１グループ画素に対応するデータ信号を示す信号、前記第２映像信号のうちの前記第２グループ画素に対応するデータ信号を示す信号、前記選択された一フレーム単位の第１補間映像信号のうちの前記第１グループ画素に対応するデータ信号を示す信号、前記選択された一フレーム単位の第２補間映像信号のうちの前記第２グループ画素に対応するデータ信号を示す信号の順に配列された映像信号を生成する段階をさらに含む。
【００１４】
これとは異なり、前記表示装置の駆動方法は、前記表示装置に入力される映像ソース信号が平面映像を表示する場合、前記映像ソース信号をフレーム単位で区分し、連続するフレーム単位の平面映像信号が示す画像の間の中間画像である補間画像を示す少なくとも２つのフレームの補間映像信号を生成する段階をさらに含む。
【００１５】
前記平面映像信号は、前記第１フィールドの一フレームの第１発光期間に表示され、前記少なくとも２つのフレームの補間映像信号のうちから選択された一フレーム単位の補間映像信号は、前記第１フィールドの一フレームに隣接した第２フィールドのフレームの第２発光期間に表示され、前記少なくとも２つのフレームの補間映像信号のうちから選択された他の一フレーム単位の補間映像信号は、前記第１フィールドの次のフレームの第１発光期間および前記第２フィールドの次のフレームの第２発光期間に表示される。
【００１６】
前記表示装置の駆動方法は、前記平面映像信号のうちの前記第１グループ画素に対応するデータ信号を示す信号、前記選択された一フレーム単位の補間映像信号のうちの前記第２グループ画素に対応するデータ信号を示す信号、前記選択された他の一フレーム単位の補間映像信号のうちの前記第１グループ画素に対応するデータ信号を示す信号、および前記選択された他の一フレーム単位の補間映像信号のうちの前記第２グループ画素に対応するデータ信号の順に配列された映像信号を生成する段階をさらに含む。
【００１７】
また、前記１つの第１フレームの第１走査期間が終了した時点から第１発光期間が開始する時点までの第１期間と、前記１つの第１フレームに隣接した前記第２フレームの第２走査期間が終了した時点から第２発光期間が開始する時点までの第２期間が互いに異なり、前記第１発光期間と前記第２発光期間が重ならない範囲で、前記第１期間が前記第２期間よりも長くてもよい。
【００１８】
前記表示装置の駆動方法は、前記表示装置に入力される映像ソース信号が立体映像を表示する場合、前記第１発光期間に前記映像ソース信号による第１視点（ｖｉｅｗ  ｐｏｉｎｔ）画像が表示され、前記第１発光期間が隣接する第２発光期間に前記映像ソース信号による前記第１視点と異なる第２視点の画像が表示される段階をさらに含む。
【００１９】
前記表示装置の駆動方法は、前記映像ソース信号で第１視点（ｖｉｅｗ  ｐｏｉｎｔ）の第１映像信号を区分し、前記第１映像信号をフレーム単位で区分し、前記映像ソース信号で前記第２視点の第２映像信号を区分し、前記第２映像信号をフレーム単位で区分する段階、前記フレーム単位の第１映像信号は、前記第１発光期間および前記隣接する第２発光期間に区分されて表示される段階、および前記フレーム単位の第２映像信号は、前記第１発光期間の次の第１発光期間および前記次の第１発光期間に隣接する第２発光期間に区分されて表示される段階をさらに含む。
【００２０】
前記表示装置の駆動方法は、前記第１映像信号のうちの前記第１グループ画素に対応するデータ信号を示す信号、前記第１映像信号のうちの前記第２グループ画素に対応するデータ信号を示す信号、前記第２映像信号のうちの前記第１グループ画素に対応するデータ信号を示す信号、前記第２映像信号のうちの前記第２グループ画素に対応するデータ信号を示す信号の順に配列された映像信号を生成する段階をさらに含む。
【００２１】
前記表示装置の駆動方法は、前記表示装置に入力される映像ソース信号が平面映像を表示する場合、前記映像ソース信号をフレーム単位で区分し、連続するフレーム単位の平面映像信号が示す画像の間の中間画像である補間画像を示す一フレームの補間映像信号を生成する段階をさらに含んでもよい。
【００２２】
前記平面映像信号は、前記第１フィールドの一フレームの第１発光期間および前記第１フィールドの一フレームに隣接した第２フィールドのフレームの第２発光期間に区分されて表示され、前記一フレームの補間映像信号は、前記第１フィールドの次のフレームの第１発光期間および前記第２フィールドの次のフレームの第２発光期間に表示される。
【００２３】
前記表示装置の駆動方法は、前記平面映像信号のうちの前記第１グループ画素に対応するデータ信号を示す信号、前記平面映像信号のうちの前記第２グループ画素に対応するデータ信号を示す信号、前記一フレーム単位の補間映像信号のうちの前記第１グループ画素に対応するデータ信号を示す信号、および前記一フレーム単位の補間映像信号のうちの前記第２グループ画素に対応するデータ信号の順に配列された映像信号を生成する段階をさらに含む。
【００２４】
本発明の他の特徴に係る表示装置の駆動方法において、前記表示装置は、複数の有機発光ダイオードおよび前記複数の有機発光ダイオードそれぞれに供給される駆動電流を制御する複数の駆動トランジスタを含む複数の画素、および前記複数の画素に駆動電圧を供給する第１電源電圧と第２電源電圧を含む。前記表示装置の駆動方法は、前記複数の画素のうちの第１グループ画素の複数の第１有機発光ダイオードそれぞれのアノード電圧をリセットさせる第１リセット期間、前記第１グループ画素の複数の第１駆動トランジスタそれぞれの閾値電圧を補償する第１補償期間、前記複数の第１駆動トランジスタそれぞれに対応するデータ信号を伝達する第１走査期間、および前記複数の第１駆動トランジスタによって制御される複数の駆動電流によって前記複数の第１有機発光ダイオードが同時に発光する第１発光期間を含む第１フィールド、および前記複数の画素のうちの前記第１グループ画素と異なる第２グループ画素の複数の第２有機発光ダイオードそれぞれのアノード電圧をリセットさせる第２リセット期間、前記第２グループ画素の複数の第２駆動トランジスタそれぞれの閾値電圧を補償する第２補償期間、および前記複数の第２駆動トランジスタそれぞれに対応するデータ信号を伝達する第２走査期間、および前記複数の第１駆動トランジスタによって制御される複数の駆動電流によって前記複数の第２有機発光ダイオードが同時に発光する第２発光期間を含む第２フィールドを含む。
【００２５】
前記第１グループ画素に供給される第１電源電圧が前記第１発光期間を除いた残りの期間の電圧レベルと前記第１発光期間の電圧レベルが異なり、前記第１グループ画素に供給される第２電源電圧が前記第１リセット期間を除いた残りの期間の電圧レベルと前記第１リセット期間の電圧レベルが異なる。
前記第２グループ画素に供給される第１電源電圧が前記第２発光期間を除いた残りの期間の電圧レベルと前記第２発光期間の電圧レベルが異なり、前記第２グループ画素に供給される第２電源電圧が前記第１リセット期間を除いた残りの期間の電圧レベルと前記第２リセット期間の電圧レベルが異なる。
【００２６】
前記第１発光期間と前記第２リセット期間は互いに重ならず、前記第２発光期間と前記第１発光期間は互いに重ならない。
前記第１リセット期間に前記第１グループ画素に供給される複数のデータ信号の電圧は、前記第１リセット期間に前記第１グループ画素のアノード電圧を放電させる駆動電流が前記駆動トランジスタに流れるようにするレベルである。前記第２リセット期間に前記第２グループ画素に供給される複数のデータ信号の電圧は、前記第２リセット期間に前記第２グループ画素のアノード電圧を放電させる駆動電流が前記駆動トランジスタに流れるようにするレベルである。
【００２７】
また、前記第１グループ画素に供給される第１電源電圧が前記第１リセット期間、前記第１走査期間、および前記第１発光期間それぞれの間にレベルが互いに異なり、前記第２電源電圧は一定のレベルで維持されてもよい。
前記第１補償期間に前記第１グループ画素に供給される第１電源電圧は、前記第１走査期間と同じであってもよい。また、前記第２グループ画素に供給される第１電源電圧が前記第２リセット期間、前記第２走査期間、および前記第２発光期間それぞれの間のレベルが互いに異なってもよい。前記第２補償期間に前記第２グループ画素に供給される第１電源電圧は、前記第２走査期間と同じである。
【００２８】
前記第１発光期間は、前記第２リセット期間、前記第２補償期間、および前記第２走査期間と重なり、前記第２発光期間は、前記第１リセット期間、前記第１補償期間、および前記第１走査期間と重なってもよい。また、前記第１発光期間と前記第２発光期間が所定の期間に重なってもよい。
【００２９】
本発明のさらに他の特徴に係る表示装置は、複数の有機発光ダイオードおよび前記複数の有機発光ダイオードそれぞれに供給される駆動電流を制御する複数の駆動トランジスタを含む複数の画素、前記複数の画素に複数のデータ信号を伝達する複数のデータ線、前記複数の画素に複数の走査信号を伝達する複数の走査線、前記複数の画素に第１電源電圧を供給する複数の第１電源線、および前記複数の画素に第２電源電圧を供給する複数の第２電源線を含む。前記表示装置は、前記複数の画素のうちの第１グループ画素の駆動トランジスタの閾値電圧が同時に補償される第１補償期間、および前記第１グループ画素それぞれが記入されたデータ信号によって同時に発光する第１発光期間を含む第１フィールドおよび前記複数の画素のうちの前記第１グループ画素と異なる第２グループ画素の駆動トランジスタの閾値電圧が同時に補償される第２補償期間、および前記第２グループ画素それぞれが記入されたデータ信号によって同時に発光する第２発光期間を含む第２フィールドに区分して映像を表示する。
【００３０】
前記複数の第１電源線は、前記第１グループ画素に前記第１電源電圧を供給するために第１方向に沿って配列されている複数の第２電源線および前記第１方向と交差する第２方向に沿って配列されている複数の第３電源線を含み、前記第２電源線と前記第３電源線が交差する地点に前記第２電源線および前記第３電源線が連結する接点が形成されている。
前記複数の第１画素それぞれは、隣接した第２電源線または隣接した第３電源線に連結している。
【００３１】
前記複数の第１電源線は、前記第２グループ画素に前記第１電源電圧を供給するために前記第１方向に沿って前記複数の第２電源線の間に配列されている複数の第４電源線、および前記第２方向に沿って前記複数の第３電源線の間に配列されている複数の第５電源線を含み、前記第４電源線と前記第５電源線が交差する地点に前記第４電源線および前記第５電源線が連結するノードが形成されている。
【００３２】
前記複数の第２画素それぞれは、隣接した第４電源線または第５電源線に連結している。
前記第１グループ画素は、複数の第１画素が前記第２方向に沿って配列された複数の第１画素行を含み、前記第２グループ画素は、複数の第２画素が前記第２方向に沿って配列された複数の第２画素行を含み、前記複数の第１画素行および前記複数の第２画素行は、交互に前記第１方向に沿って配列される。
【００３３】
前記複数の第１電源線は、前記第１グループ画素に前記第１電源電圧を供給するために第１方向に沿って配列されている複数の第２電源線、前記第１グループ画素に前記第１電源電圧を供給するために前記第１方向と交差する第２方向に沿って配列されている複数の第３電源線、前記第２グループ画素に前記第１電源電圧を供給するために前記第１方向に沿って前記複数の第２電源線の間に配列されている複数の第４電源線、および前記第２グループ画素に前記第１電源電圧を供給するために前記第２方向に沿って前記複数の第３電源線の間に配列されている複数の第５電源線を含む。前記第２電源線と前記第３電源線が交差する地点に前記第２電源線および前記第３電源線が連結する接点が形成されており、前記第４電源線と前記第５電源線が交差する地点に前記第４電源線および前記第５電源線が連結する接点が形成されている。
【００３４】
前記第１グループ画素は、複数の第１画素が前記第２方向に沿って配列された複数の第１画素行を含み、前記第２グループ画素は、複数の第２画素が前記第２方向に沿って配列された複数の第２画素行を含み、前記複数の第１画素行および前記複数の第２画素行は、交互に前記第１方向に沿って配列してもよい。
【００３５】
また、前記第１グループ画素は複数の第１画素を含み、前記第２グループ画素は複数の第２画素を含み、前記第１方向および前記第２方向に沿って前記複数の第１画素および前記複数の第２画素が交互に配列されていてもよい。
これとは異なり、前記第１グループ画素は、複数の第１画素が前記第１方向に沿って配列された複数の第１画素列を含み、前記第２グループ画素は、複数の第２画素が前記第１方向に沿って配列された複数の第２画素列を含み、前記複数の第１画素列および前記複数の第２画素列は、交互に前記第２方向に沿って配列されてもよい。
【００３６】
また、前記第１グループ画素は複数の第１画素を含み、前記第２グループ画素は複数の第２画素を含み、前記第１方向に沿って少なくとも２つの第１画素および少なくとも２つの第２画素が交互に配列されており、前記第２方向に沿って第１画素および第２画素が交互に配列されていてもよい。
【００３７】
前記複数の第１画素それぞれは隣接した第２電源線に連結しており、前記複数の第２画素それぞれは隣接した第４電源線に連結していてもよい。また、前記複数の第１画素それぞれは隣接した第３電源線に連結しており、前記複数の第２画素それぞれは隣接した第５電源線に連結していてもよい。
【００３８】
前記複数の画素は、前記複数の駆動トランジスタのゲート電極およびドレイン電極の間に連結している複数の補償トランジスタをさらに含み、前記複数の補償トランジスタのうちの複数の第１補償トランジスタは前記第１補償期間にターンオンされ、前記複数の補償トランジスタのうちの前記複数の第１補償トランジスタと異なる複数の第２補償トランジスタは前記第２補償期間にターンオンされる。
【００３９】
前記複数の第１補償トランジスタに補償制御信号を伝達する複数の第１制御線は、第１方向に沿って配列されており、前記複数の第２補償トランジスタに補償制御信号を伝達する複数の第２制御線は、前記第１方向に沿って前記複数の第１制御線の間に配列されている。
【００４０】
前記複数の第１画素それぞれは隣接した第１制御線に連結しており、前記複数の第２画素それぞれは隣接した第２制御線に連結している。
前記複数の第１補償トランジスタに補償制御信号を伝達する複数の第１制御線は、行方向に延長して列方向に沿って配列されており、前記複数の第２補償トランジスタに補償制御信号を伝達する複数の第２制御線は、行方向に延長して列方向に沿って前記複数の第１制御線の間に配列されていてもよい。
【００４１】
これとは異なり、前記複数の第１補償トランジスタに補償制御信号を伝達する複数の第１制御線は、列方向に延長して行方向に沿って配列されており、前記複数の第２補償トランジスタに補償制御信号を伝達する複数の第２制御線は、列方向に延長して行方向に沿って前記複数の第１制御線の間に配列されていてもよい。
【００４２】
前記複数の画素は、前記複数の走査信号によって前記複数の駆動トランジスタに複数のデータ信号を伝達する複数のスイッチングトランジスタ、前記複数の駆動トランジスタのゲート電極およびドレイン電極の間に連結している複数の補償トランジスタ、前記複数のスイッチングトランジスタと前記複数の駆動トランジスタのゲート電極の間に連結している複数の補償キャパシタ、および前記複数のスイッチングトランジスタと前記複数の駆動トランジスタのソース電極の間に連結している複数の貯蔵キャパシタを含み、前記第１電源電圧は前記駆動トランジスタのソース電極に伝達され、前記第２電源電圧は前記有機発光ダイオードのカソード電極に伝達されている。
【００４３】
前記第１フィールドは、前記第１グループ画素の有機発光ダイオードアノード電極電圧をリセットさせる第１リセット期間をさらに含み、前記第２フィールドは、前記第２グループ画素の有機発光ダイオードアノード電極電圧をリセットさせる第２リセット期間をさらに含む。
【００４４】
前記第１リセット期間に前記第１グループ画素に供給される複数のデータ信号の電圧は、前記リセット期間に前記第１グループ画素の駆動トランジスタに流れる電流によって前記アノード電圧が前記第１グループ画素に供給される第１電源電圧にリセットされるようにするレベルである。
【００４５】
前記第２リセット期間に前記第２グループ画素に供給される複数のデータ信号の電圧は、前記第２リセット期間に前記第２グループ画素の駆動トランジスタに流れる電流によって前記アノード電圧が前記第２グループ画素に供給される第１電源電圧にリセットされるようにするレベルである。
【００４６】
前記第１発光期間および前記第２発光期間に、前記第１電源電圧は、残りの期間と異なるレベルを有し、前記第２電源電圧よりも高い電圧である。
また、前記第２電源電圧は一定に維持され、前記第１リセット期間および前記第２リセット期間に前記第１電源電圧は前記第２電源電圧よりも低いレベルであってもよい。前記第１補償期間に前記第１グループ画素の複数の補償トランジスタがターンオンされ、前記第２補償期間それぞれの間に前記第２グループ画素の複数の補償トランジスタがターンオンされ、前記第１補償期間および前記第２補償期間の第１電源電圧は前記第１リセット期間および第２リセット期間の第１電源電圧と異なってもよい。
【００４７】
前記第１発光期間および前記第２発光期間の第１電源電圧は、前記第１補償期間および前記第２補償期間、および前記第１リセット期間および前記第２リセット期間の第１電源電圧と異なってもよい。
【００４８】
前記第１フィールドは、前記第１グループ画素の複数のスイッチングトランジスタを通じて複数のデータ信号を前記複数の補償キャパシタおよび前記複数の貯蔵キャパシタに伝達する第１走査期間をさらに含み、前記第２フィールドは、前記第２グループ画素の複数のスイッチングトランジスタを通じて複数のデータ信号を前記複数の補償キャパシタおよび複数の貯蔵キャパシタに伝達する第２走査期間をさらに含む。前記第１走査期間および前記第２走査期間の第１電源電圧は、前記第１補償期間および前記第２補償期間の第１電源電圧と同じであってもよい。前記第１発光期間および前記第２発光期間の第１電源電圧は、前記第１補償期間および前記第２補償期間、および前記第１リセット期間および前記第２リセット期間の第１電源電圧と異なり、前記第１補償期間および前記第２補償期間の第１電源電圧は、前記第１リセット期間および前記第２リセット期間の第１電源電圧と異なってもよい。
【発明の効果】
【００４９】
モーションアーチファクトを減少させることができ、発光時間を最大限確保することができる表示装置およびその駆動方法を提供する。これにより、大型化および高解像度のうちの少なくとも１つを求める環境において、立体映像または平面映像を従来に比べて低い駆動周波数で表示する表示装置および表示装置の駆動方法が提供される。
【図面の簡単な説明】
【００５０】
【図１Ａ】本発明の一実施形態に係る表示装置の駆動方式を示す図である。
【図１Ｂ】第１フィールドおよび第２フィールドで発光期間の開始時点が調節される方法を示す図である。
【図１Ｃ】第１フィールドおよび第２フィールドで発光期間の開始時点が調節される方法を示す図である。
【図２Ａ】本発明の実施形態によって表示パネルを２分割する場合、第１フィールドに発光する第１グループ画素の領域および第２グループ画素の領域を示す図である。
【図２Ｂ】本発明の実施形態によって表示パネルを２分割する場合、第１フィールドに発光する第１グループ画素の領域および第２グループ画素の領域を示す図である。
【図２Ｃ】本発明の実施形態によって表示パネルを２分割する場合、第１フィールドに発光する第１グループ画素の領域および第２グループ画素の領域を示す図である。
【図２Ｄ】本発明の実施形態によって表示パネルを２分割する場合、第１フィールドに発光する第１グループ画素の領域および第２グループ画素の領域を示す図である。
【図３Ａ】第１単位領域（Ｅ）および第２単位領域（Ｏ）に含まれる第１グループ画素および第２グループ画素のうちのそれぞれの一画素の構造を示す図である。
【図３Ｂ】第１単位領域（Ｅ）および第２単位領域（Ｏ）に含まれる第１グループ画素および第２グループ画素のうちのそれぞれの一画素の構造を示す図である。
【図４】立体映像表示周波数が１２０Ｈｚである場合、１／６０秒の期間に表示される画像を図式化して示す図である。
【図５】補間周波数が１２０Ｈｚである場合、表示装置が原本左眼画像および原本右眼画像の間に生成された補間左眼画像および補間右眼画像を選択して表示する方法を示す図である。
【図６】補間周波数が立体映像表示周波数の２倍である２４０Ｈｚの場合、表示装置が生成された補間画像および原本画像を選択して表示する方法を示す図である。
【図７】従来の表示装置に発生するモーションアーチファクトを示す図である。
【図８】本発明の実施形態に係る駆動方法のうちの連接発光モードによって立体映像を表示する場合、その駆動方法を示す図である。
【図９】表示装置が原本左眼画像および原本右眼画像を連接発光モードによって選択する方法を示す図である。
【図１０】等間隔発光モードによって平面映像を表示する場合、その駆動方法を示す図である。
【図１１】補間周波数が２４０Ｈｚである場合、表示装置が原本平面画像の間に生成された補間画像を選択して表示する方法を示す図である。
【図１２】本発明の他の実施形態に係る連接発光モードによって平面映像を表示する場合、その駆動方法を示す図である。
【図１３】表示装置が原本平面画像および補間画像を連接発光モードによって選択する方法を示す図である。
【図１４】図２Ａに示された水平ライン配列方法によるとき、電源線と単位領域の間の連結構造を示す図である。
【図１５】図２Ａに示された水平ライン配列方法によるとき、電源線と単位領域の間の他の連結構造を示す図である。
【図１６】図２Ａのように単位領域が配列されたとき、第１補償制御信号および第２補償制御信号を伝達する信号線が垂直方向に配列されたことを示す図である。
【図１７】図２Ａのように単位領域が配列されたとき、第１補償制御信号および第２補償制御信号を伝達する信号線が水平方向に配列されたことを示す図である。
【図１８】図２Ｃに示された１×１ドット配列方法によるとき、電源線と単位領域の間の連結構造を示す図である。
【図１９】図２Ｃに示された１×１ドット配列方法によるとき、電源線と単位領域の間の他の連結構造を示す図である。
【図２０】図２Ｃのように単位領域が配列されたとき、第１補償制御信号および第２補償制御信号を伝達する信号線が垂直方向に沿って配列されたことを示す図である。
【図２１】図２Ｃのように単位領域が配列されたとき、第１補償制御信号および第２補償制御信号を伝達する信号線が水平方向に配列されたことを示す図である。
【図２２】図２Ｂに示された配列方法によるとき、電源線と単位領域の間の連結構造を示す図である。
【図２３】図２Ｂに示された配列方法によるとき、電源線と単位領域の間の連結構造を示す図である。
【図２４】図２Ｂのように単位領域が配列されたとき、第１補償制御信号および第２補償制御信号を伝達する信号線が水平方向に形成されて垂直方向に沿って配列されたことを示す図である。
【図２５】図２Ｂのように単位領域が配列されたとき、第１補償制御信号および第２補償制御信号を伝達する信号線が垂直方向に形成されて水平方向に沿って配列されたことを示す図である。
【図２６】図２Ｄに示された配列方法によるとき、電源線と単位領域の間の連結構造を示す図である。
【図２７】図２Ｄに示された配列方法によるとき、電源線と単位領域の間の連結構造を示す図である。
【図２８】図２Ｄのように単位領域が配列されたとき、第１補償制御信号および第２補償制御信号を伝達する信号線が水平方向に形成されて垂直方向に沿って配列されたことを示す図である。
【図２９】図２Ｄのように単位領域が配列されたとき、第１補償制御信号および第２補償制御信号を伝達する信号線が垂直方向に形成されて水平方向に沿って配列されたことを示す図である。
【図３０】本発明の実施形態に係る表示装置を示す図である。
【図３１】バイレベル駆動方式による２つの電源電圧、走査信号、補償制御信号、およびデータ信号を示す図である。
【図３２】バイレベル駆動方式によるとき、第１フィールドおよび第２フィールドを電源電圧と共に示す画像である。
【図３３】トライレベル駆動方式による２つの電源電圧、走査信号、補償制御信号、およびデータ信号を示す図である。
【図３４】トライレベル駆動方式によるとき、第１フィールドおよび第２フィールドを電源電圧と共に示す画像である。
【図３５】トライレベル駆動方式によるとき、第１フィールドおよび第２フィールドを電源電圧と共に示す画像である。
【発明を実施するための形態】
【００５１】
以下、添付の図面を参照しながら、本発明の実施形態について本発明が属する技術分野において通常の知識を有する者が容易に実施できるように詳しく説明する。しかし、本発明は多様に相違した形態に実現することができ、ここで説明する実施形態に限定されるものではない。図面において、本発明を明確に説明するために説明上、不必要な部分は省略した。明細書全体に渡って類似した部分については、類似した図面符号を付与した。
【００５２】
明細書全体において、ある部分が他の部分と「連結」しているとするとき、これは「直接的に連結」している場合だけではなく、その中間に他の素子を間において「電気的に連結」している場合も含む。ある部分がある構成要素を「含む」とするとき、これは特に反対となる記載がない限り、他の構成要素を除くのではなく他の構成要素をさらに含むことを意味する。
【００５３】
図１Ａは、本発明の一実施形態に係る表示装置の駆動方式を示す図である。
本発明の一実施形態に係る駆動方式は、表示装置パネルの複数の画素のうちの第１フィールドに発光する複数の第１グループ画素および第２フィールドに発光する複数の第２グループ画素を区分する。第１フィールドおよび第２フィールドそれぞれは少なくとも１つのフレームを含む表示期間であって、一フレームは、リセット期間１、補償期間２、走査期間３、および発光期間４を順に含む。
【００５４】
また、第１フィールド（ＥＦＤ）と第２フィールド（ＯＦＤ）は所定の期間（ＳＦ）だけ移動した時点に同期して駆動される。具体的に、第１フィールド（ＥＦＤ）の一フレーム（１ＦＥ）に時間的に隣接する第２フィールドの一フレーム（１ＦＯ）は、時間的に一フレーム（１ＦＥ）から期間（ＳＦ）だけシフトされる。期間（ＳＦ）は走査期間３が互いに重ならないように設定される。第１フィールドの一フレーム（２ＦＥ）はフレーム１ＦＥ）に連続し、第２フィールドの一フレーム（２ＦＯ）はフレーム（１ＦＯ）に連続する。
【００５５】
第１グループ画素が発光する期間４に、第２グループ画素それぞれには対応するデータ信号が記入される走査期間３が発生する。同様に、第２グループ画素が発光する期間４に、第２グループ画素それぞれには対応するデータ信号が記入される走査期間３が発生する。したがって、走査期間３を十分に確保することができ、表示パネルを駆動させるための時間的マージン（ｍａｒｇｉｎ）が増加する。また、走査周波数を低めることができるため、データ信号を生成およびデータ線に伝達するデータ駆動部および走査信号を生成する走査駆動部の帯域幅が減少し、回路部品の単価を減少させることができる。
【００５６】
さらに、第１グループ画素の発光時間４と第２グループ画素の発光時間４が分散するため、必要な最高電流が減少し、表示装置に電源を供給する電源回路の単価を低めることができる。
図１Ｂおよび図１Ｃは、第１フィールドおよび第２フィールドで発光期間の開始時点が調節される方法を示す図である。
【００５７】
図１Ｂは、第１フィールドおよび第２フィールドにおいて、発光期間が走査期間が完了した後、同じ時点に発光期間が開始することを示す図である。
図１Ｂに示すように、第１フィールド（ＥＦＤ）の走査期間３の終了時点ＴＭ１後、時点ＴＭ２に発光期間４が開始する。期間（ＳＦ）だけシフトされた時点に第２フィールド（ＯＦＤ）の一フレームが開始し、第２フィールド（ＯＦＤ）の走査期間３が時点ＴＭ３に終了した後、時点ＴＭ４に発光期間４が開始する。このとき、期間ＴＭ１−ＴＭ２と期間ＴＭ３−ＴＭ４は同じ期間に設定されてもよい。後述する等間隔発光モードでは、発光期間４の開始時点を図１ｂのように同じ時点に設定する。
【００５８】
図１Ｃは、第１フィールドおよび第２フィールドで発光期間が走査期間が完了した後、互いに異なる時点に発光期間が開始することを示す図である。
図１ｃに示すように、第１フィールド（ＥＦＤ）の走査期間３の終了時点ＴＭ５後、時点ＴＭ６に発光期間４が開始する。期間（ＳＦ）だけシフトされた時点に第２フィールド（ＯＦＤ）の一フレームが開始し、第２フィールド（ＯＦＤ）の走査期間３が時点ＴＭ７に終了した後、時点ＴＭ８に発光期間４が開始する。このとき、期間ＴＭ５−ＴＭ６と期間ＴＭ７−ＴＭ８は互いに異なる期間に設定してもよい。後述する連接発光モードでは、発光期間４の開始時点を図１ｃのように互いに異なる時点に設定する。具体的に、第１フィールドの発光期間４と第２フィールドの発光期間４が互いに近接するように発光期間の開始時点を調節する。
【００５９】
以下、本発明の実施形態によって第１グループ画素と第２グループ画素を分ける方法を説明する。
図２Ａ〜図２Ｄは、本発明の実施形態によって表示パネルを２分割する場合、第１フィールドに発光する第１グループ画素の領域および第２グループ画素の領域を示す図である。
第１グループ画素が配置された領域（以下、第１領域）を構成する複数の単位領域（以下、第１単位領域）を「Ｅ」で表示し、第２グループ画素が配置された領域（以下、第２領域）を構成する複数の単位領域（以下、第２単位領域）を「Ｏ」で表示する。各単位領域は少なくとも１つの画素から構成される。
【００６０】
第１単位領域（Ｅ）と第２単位領域（Ｏ）別に輝度差が発生することがあるため、第１単位領域（Ｅ）と第２単位領域（Ｏ）が空間的に隣接するように配置させることが好ましい。
図２Ａは、水平ラインに沿って複数の第１単位領域（Ｅ）が配列された第１水平ライン（ＨＥ１−ＨＥ３）と複数の第２単位領域（Ｏ）が配列された第２水平ライン（ＨＯ１−ＨＯ３）が交互に位置するように配列される水平ライン配列方法を示す図である。説明の便宜のために、３つの第１水平ラインおよび３つの第２水平ラインのみを示したが、本発明はこれに限定されるものではない。水平ライン配列方法は、インターレース（ｉｎｔｅｒｌａｃｅ）放送を表現するのに適切である。
【００６１】
図２Ｂは、垂直ラインに沿って複数の第１単位領域（Ｅ）が配列された第１垂直ライン（ＶＥ１−ＶＥ４）と複数の第２単位領域（Ｏ）が配列された第２垂直ライン（ＶＯ１−ＶＯ４）が交互に位置するように配列される垂直ライン配列方法を示す図である。説明の便宜のために、４つの第１垂直ラインおよび４つの第２垂直ラインのみを示したが、本発明はこれに限定されるものではない。垂直ライン配列方法は、横の動きが多い映像を表現するのに適切である。
【００６２】
図２Ｃは、１×１ドット（ＤＯＴ）配列によって複数の第１単位領域（Ｅ）および複数の第２単位領域（Ｏ）が配列された表示パネルを示す図である。説明の便宜のために、６×８マトリクスに表示パネルが分割されたものを示したが、本発明はこれに限定されるものではない。１×１ドット配列は、プログレッシブ（ｐｒｏｇｒｅｓｓｉｖｅ）放送に適した表示配列方法である。また、第１単位領域（Ｅ）および第２単位領域（Ｏ）が互いに垂直および水平方向に隣接して配置されており、第１単位領域（Ｅ）および第２単位領域（Ｏ）の間の輝度差を分散させることができる。
【００６３】
図２Ｄは、２×１ドット（ＤＯＴ）配列によって複数の第１単位領域（Ｅ）および複数の第２単位領域（Ｏ）が配列された表示パネルを示す図である。説明の便宜のために、６×８マトリクスに表示パネルが分割されたものを示したが、本発明はこれに限定されるものではない。２×１ドット配列は、ディザリング（ｄｉｔｈｅｒｉｎｇ）パターンが際立つことを避けるのに適切である。２×２ディザリングパターンが一般的に選択されるが、１×１ドット配列によって配置された表示パネルに２×２ディザリングパターンで生成された映像信号によって映像が表示されれば、２×２ディザリングパターンが強調される。２×１または１×２ドット配列は、２×２ディザリングパターンの強調現象を防ぐことができる。
【００６４】
２×１ドット配列によれば、第１単位領域（Ｅ）の水平方向に隣接した２つの第２単位領域（Ｏ）が存在し、垂直方向に隣接した１つの第２単位領域（Ｏ）が存在する。１×２ドット配列によれば、第１単位領域（Ｅ）の垂直方向に隣接した２つの第２単位領域（Ｏ）が存在し、水平方向に隣接した１つの第２単位領域（Ｏ）が存在する。
【００６５】
２×２ディザリングパターンと本発明の実施形態に係る１×１ドット配列は、基本反復単位が同じである。このため、ディザパターン（ｄｉｔｈｅｒ  ｐａｔｔｅｒｎ）が際立って見えることがある。例えば、２×２ディザリングパターンで１００．５階調を表示する場合、２×２ピクセルのうちの左上と右下の対角方向ピクセルは１０１階調を表示し、右上と左下の対角方向ピクセルは１００階調を表示し、遠くから見れば平均的に１００．５階調が表示されたものに見えるようになる。このとき、この表示を「１×１ドット配列」で構成された本発明の表示装置で行うようにすれば、左上と右下に位置した第１単位領域（Ｅ）の画素はすべて１０１階調を表示するようになり、右上と左下に位置した第２単位領域（Ｏ）の画素はすべて１００階調を表示するようになる。
【００６６】
第１単位領域（Ｅ）および第２単位領域（Ｏ）それぞれの画素に表示される同じ輝度間の偏差が発生しないようにパネルを設計するが、不可避なレイアウト（ｌａｙｏｕｔ）上の非対称性ために、ある程度の輝度偏差が発生することがある。その結果として、同じ階調を表示しても、第１単位領域（Ｅ）の画素が表示する輝度が第２単位領域（Ｏ）の画素が表示する輝度よりも高いことがあると仮定しよう。
【００６７】
例えば、２％程度（１階調程度の差）高く出るとすれば、第１単位領域（Ｅ）の画素がまるで１０２階調を表現し、第２単位領域（０）の画素が１００階調を表現するように見えることがある。これにより、第１単位領域（Ｅ）の画素と第２単位領域（０）の画素の間に輝度差が拡大すれば、遠くから見てもその不均一性が視認されるようになる。
【００６８】
この反面、１×２ドット配列や２×１ドット配列に２×２ディザリングパターンによる映像信号が表示されれば、第１単位領域（Ｅ）と第２単位領域（０）にディザリングパターンが同じ確率で存在するため、不均一性が改善される。
例えば、上述した１００．５階調を表示する場合に、１×１ドット配列ではすべての第１単位領域（Ｅ）の画素が１０１階調を表示するが、１×２や２×１ドット配列では第１単位領域（Ｅ）の画素が１０１階調を表示することもあり、１００階調を表示することもある（５０：５０比率）。
【００６９】
図３Ａおよび図３Ｂは、第１単位領域（Ｅ）および第２単位領域（Ｏ）に含まれる第１グループ画素および第２グループ画素のうちのそれぞれ一画素の構造を示す図である。
図３Ａに示すように、第１単位領域（Ｅ）に含まれる第１画素（ＥＰＸ）は、スイッチングトランジスタ（ＥＴＳ）、駆動トランジスタ（ＥＴＲ）、補償トランジスタ（ＥＴＨ）、補償キャパシタ（ＥＣＨ）、および貯蔵キャパシタ（ＥＣＳ）を含む。
【００７０】
駆動トランジスタ（ＥＴＳ）は、有機発光ダイオード（ＯＬＥＤ＿Ｅ）のアノード電極が連結しているドレイン電極、補償キャパシタ（ＥＣＨ）の一電極に連結しているゲート電極、および第１電源電圧（ＥＶＤＤ）に連結しているソース電極を含む。駆動トランジスタ（ＥＴＳ）は、有機発光ダイオード（ＯＬＥＤ＿Ｅ）に供給される駆動電流を制御する。
【００７１】
補償トランジスタ（ＥＴＨ）は、第１補償制御信号（ＧＣＥ）が入力されるゲート電極、および駆動トランジスタ（ＥＴＲ）のドレイン電極およびゲート電極それぞれに連結している２つの電極を含む。
補償キャパシタ（ＥＣＨ）の他の電極は、貯蔵キャパシタ（ＥＣＳ）の一電極およびスイッチングトランジスタ（ＥＣＳ）の一電極に連結している。貯蔵キャパシタ（ＥＣＳ）の他の電極は、第１電源電圧（ＥＶＤＤ）に連結している。
【００７２】
スイッチングトランジスタ（ＥＣＳ）のゲート電極には走査信号（Ｓ［ｉ］）が入力され、スイッチングトランジスタ（ＥＣＳ）の他の電極はデータライン（Ｄｊ）に連結している。データライン（Ｄｊ）を通じてデータ信号（ｄａｔａ［ｊ］）が伝達される。
【００７３】
有機発光ダイオード（ＯＬＥＤ＿Ｅ）のアノード電極は、第２電源電圧（ＥＶＳＳ）に連結する。
第１電源電圧（ＥＶＤＤ）および第２電源電圧（ＥＶＳＳ）は、画素動作に必要な駆動電圧を供給する。具体的に、第１電源電圧（ＥＶＤＤ）および第２電源電圧（ＥＶＳＳ）は、駆動トランジスタ（ＥＴＲ）および有機発光ダイオード（ＯＬＥＤ＿Ｅ）がリセット期間１、補償期間２、走査期間３、および発光期間４それぞれによって動作に必要な駆動電圧を供給する。
【００７４】
第１電源電圧（ＥＶＤＤ）は、リセット期間１、補償期間２、走査期間３、および発光期間４によって少なくとも２つのレベルを有する。第１補償制御信号（ＧＣＥ）は、補償期間２の間だけ補償トランジスタ（ＥＴＨ）をターンオンさせるレベルとなる。
【００７５】
走査信号（Ｓ［ｉ］）は、リセット期間１、補償期間２、走査期間３、および発光期間４によって少なくとも２つのレベルを有する。具体的に、走査信号（Ｓ［ｉ］）は、少なくとも補償期間２および走査期間３のうちの対応する走査ラインにデータ信号が記入される期間にスイッチングトランジスタ（ＥＴＳ）をターンオンさせるレベルとなる。
第２電源電圧（ＥＶＳＳ）は、一定のレベルで維持されたり、リセット期間１の電圧レベルと残りの３期間の電圧レベルが異なったりする。
【００７６】
図３Ｂに示すように、第２単位領域（Ｏ）に含まれる第２画素（ＯＰＸ）は、スイッチングトランジスタ（ＯＴＳ）、駆動トランジスタ（ＯＴＲ）、補償トランジスタ（ＯＴＨ）、補償キャパシタ（ＯＣＨ）、および貯蔵キャパシタ（ＯＣＳ）を含む。
駆動トランジスタ（ＯＴＳ）は、有機発光ダイオード（ＯＬＥＤ＿Ｏ）のアノード電極が連結しているドレイン電極、補償キャパシタ（ＯＣＨ）の一電極に連結しているゲート電極、および第３電源電圧（ＯＶＤＤ）に連結しているソース電極を含む。
【００７７】
補償トランジスタ（ＯＴＨ）は、第２補償制御信号（ＧＣＯ）が入力されるゲート電極、および駆動トランジスタ（ＯＴＲ）のドレイン電極およびゲート電極それぞれに連結している２つの電極を含む。
補償キャパシタ（ＯＣＨ）の他の電極は、貯蔵キャパシタ（ＯＣＳ）の一電極およびスイッチングトランジスタ（ＯＣＳ）の一電極に連結している。貯蔵キャパシタ（ＯＣＳ）の他の電極は、第３電源電圧（ＯＶＤＤ）に連結している。
【００７８】
スイッチングトランジスタ（ＯＣＳ）のゲート電極には走査信号（Ｓ［ｍ］）が入力され、スイッチングトランジスタ（ＯＣＳ）の他の電極はデータライン（Ｄｋ）に連結している。データライン（Ｄｋ）を通じてデータ信号（ｄａｔａ［ｋ］）が伝達される。
有機発光ダイオード（ＯＬＥＤ＿Ｏ）のアノード電極は、第４電源電圧（ＯＶＳＳ）に連結する。
【００７９】
第３電源電圧（ＯＶＤＤ）は、リセット期間１、補償期間２、走査期間３、および発光期間４によって少なくとも２つのレベルを有する。第２補償制御信号（ＧＣＯ）は、補償期間２の間だけ補償トランジスタ（ＯＴＨ）をターンオンさせるレベルとなる。
走査信号（Ｓ［ｍ］）は、リセット期間１、補償期間２、走査期間３、および発光期間４によって少なくとも２つのレベルを有する。具体的に、走査信号（Ｓ［ｍ］）は、少なくとも補償期間２および走査期間３のうちの対応する走査ラインにデータ信号が記入される期間にスイッチングトランジスタ（ＯＴＳ）をターンオンさせるレベルとなる。
【００８０】
第４電源電圧（ＯＶＳＳ）は、一定のレベルで維持されたり、リセット期間１の電圧レベルと残りの３期間の電圧レベルが異なったりする。
このように、本発明の実施形態に係る画素構造において、第１画素（ＥＰＸ）および第２画素（ＯＰＸ）の構造および動作は同じである。第１電源電圧（ＥＶＤＤ）および第３電源電圧（ＯＶＤＤ）を供給する配線、第１補償制御信号（ＧＣＥ）および第２補償制御信号（ＧＣＯ）を供給する配線、および第２電源電圧（ＥＶＳＳ）および第４電源電圧（ＯＶＳＳ）を供給する配線は、第１領域および第２領域によって区分される。
【００８１】
第１画素は第１単位領域（Ｅ）の画素であるため、第１フィールドの間に駆動される画素であり、第２画素は第２単位領域（Ｏ）の画素であるため、第２フィールドの間に駆動される画素である。具体的な動作は後述して説明する。
表示装置が立体映像を表示するためには、左眼画像と右眼画像を表示する。以下、１秒間の左眼画像の表示回数と右眼画像の表示回数を立体映像表示周波数とする。
【００８２】
また、本発明の実施形態に係る表示装置は、ｎ番目の原本画像とｎ＋１番目の原本画像の間に補間画像を生成してもよい。補間画像とは、ｎ番目の原本画像とｎ＋１番目の原本画像の間の中間画像を意味する。具体的に、補間画像が複数である場合、複数の補間画像は、ｎ番目の原本画像とｎ＋１番目の原本画像の間の複数の中間モーションを示す複数画像である。表示装置は、ｎ番目の画像とｎ＋１番目の画像の間のモーション差を算出し、算出されたモーション変化量を補間周波数と基準周波数（６０Ｈｚまたは５０Ｈｚであってもよいが、本発明の実施形態では６０Ｈｚに設定する）によって割り、算出されたモーション変化量をｎ番目の画像に重畳的に反映させて補間画像を生成してもよい。
【００８３】
表示装置は入力映像信号により、原本左眼画像、原本右眼画像、補間左眼画像、および補間右眼画像を示す映像データ信号を生成する。一画像を示す映像データ信号を単位映像データ信号とし、映像データ信号は複数の単位映像データ信号から構成される。表示装置は、複数の単位映像データ信号それぞれが含んでいるフィールド情報および視点情報を抽出し、対応するフィールドおよび視点によって単位映像データ信号を表示する。フィールド情報とは、第１フィールド（ＥＦＤ）および第２フィールド（ＯＦＤ）のうちで該当する単位映像データ信号が表示されなければならないフィールドを示す情報であり、視点（ｖｉｅｗ  ｐｏｉｎｔ）情報とは、左眼および右眼のうちで該当する単位映像データが示す視点を意味する。
【００８４】
表示装置が生成した画像はＬまたはＲで記載し、表示装置が生成された画像を対応するフィールドによって表示した場合、表示された画像はフィールドと共に表記してＬＥまたはＲＯで記載する。さらに、数字を利用して補間画像およびその個数を表示する。
以下、本発明の実施形態を利用し、立体映像を表示する駆動方法について図４などを参照しながら説明する。
【００８５】
図４は、本発明の実施形態に係る駆動方法のうちの等間隔発光モードによって立体映像を表示する場合、その駆動方法を示す図である。第１フィールド（ＥＦＤ）に発光する第１グループ画素で左眼画像が表示され、第２フィールド（ＯＦＤ）に発光する第２グループ画素で右眼画像が表示されると設定する。しかし、本発明はこれに限定されるものではなく、左眼画像が第２フィールドに表示されて右眼画像が第１フィールドに表示されてもよい。
【００８６】
映像表示周波数が１２０Ｈｚである場合、すなわち、１秒間に第１フィールドに１２０フレームおよび第２フィールドに１２０フレームが表示される。
映像表示周波数は、１２０Ｈｚによって立体映像が表示される場合、１秒に左眼画像１２０枚（第１フィールドに表示）および右眼画像１２０枚（第２フィールドに表示）が表示される。
【００８７】
図４は、立体映像表示周波数が１２０Ｈｚである場合、１／６０秒の期間に表示される画像を図式化して示す図である。外部から表示装置に入力される映像信号が立体映像を表示する信号である場合、立体映像信号は、１秒に原本左眼画像６０枚および原本右眼画像６０枚を含むものと設定する。
【００８８】
したがって、表示装置は、１秒間に６０枚の原本左眼画像および６０枚の原本右眼画像の他にも、６０枚の左眼画像および６０枚の右眼画像をさらに表示することができる。すなわち、２つの原本左眼画像の間に１つの補間左眼画像がさらに表示され、２つの原本右眼画像の間に１つの補間右眼画像がさらに表示される。このように補間左眼画像および補間右眼画像が生成されるためには、補間周波数が少なくとも立体映像表示周波数と同じでなければならない。
【００８９】
また、左眼映像および右眼映像それぞれを左眼および右眼それぞれに透写させるために、液晶シャッター方式の眼鏡をユーザが着用するものと設定する。しかし、本発明はこれに限定されるものではない。
図４に示すように、単位時間（１／６０秒）（Ｔ１）に立体映像表示周波数１２０Ｈｚによって表示される画像は４枚である。すなわち、単位時間（Ｔ１）は、４つのフレームの発光期間を含む。単位時間（Ｔ１）は期間（Ｔ１１）と期間（Ｔ１２）に区分され、期間（Ｔ１１）に左眼画像および右眼画像が、期間（Ｔ１２）に補間左眼画像および補間右眼画像が表示される。
【００９０】
期間（Ｔ１１）で、第１フィールドの一フレーム発光期間（１ＦＥ［ｎ］＿４）にｎ番目の左眼画像（ＬＥ［ｎ］）が表示され、第２フィールドの一フレーム発光期間（１ＦＯ［ｎ］＿４）にｎ番目の右眼画像（ＲＯ［ｎ］）が表示される。
期間（Ｔ１２）で、第１フィールドの一フレームの発光期間（２ＦＥ［ｎ］＿４）にｎ番目の左眼補間画像（ＬＥ１［ｎ］）が表示され、第２フィールドの一フレーム発光期間（２ＦＯ［ｎ］＿４）に右眼補間画像（ＲＯ１［ｎ］）が表示される。
【００９１】
ｎ番目の補間左眼画像（ＬＥ１［ｎ］）は、ｎ番目の原本左眼画像とｎ＋１番目の原本左眼画像の間の補間左眼画像であり、ｎ番目の補間右眼画像（ＲＯ１［ｎ］）は、ｎ番目の原本右眼画像とｎ＋１番目の原本右眼画像の間の補間右眼画像である。
図４において、シャッター眼鏡の左眼および右眼それぞれが開閉する時点は矢印で示した。時点ＳＴ１およびＳＴ３で右眼が開いて左眼が閉じ、時点ＳＴ２およびＳＴ４に左眼が開いて右眼が閉じる。
【００９２】
図５は、補間周波数が１２０Ｈｚである場合、表示装置が原本左眼画像および原本右眼画像の間に生成された補間左眼画像および補間右眼画像を選択して表示する方法を示す図である。
表示装置は、ｎ番目の原本左眼画像（Ｌ［ｎ］）を示すデータ信号のうちで第１フィールドに表示される左眼画像（ＬＥ［ｎ］）を示すデータ信号を選択および第１グループ画素に供給する。表示装置は、ｎ番目の原本右眼画像（Ｒ［ｎ］）を示すデータ信号のうちで第２フィールドに表示される右眼画像（ＲＯ［ｎ］）を示すデータ信号を選択および第２グループ画素に供給する。
【００９３】
表示装置は、ｎ番目の原本左眼画像（Ｌ［ｎ］）およびｎ＋１番目の原本左眼画像（Ｌ［ｎ＋１］）の間の補間左眼画像（Ｌ１［ｎ］）を生成する。表示装置は、ｎ番目の原本右眼画像（Ｒ［ｎ］）とｎ＋１番目の原本右眼画像（Ｒ［ｎ＋１］）の間の補間右眼画像（Ｒ１［ｎ］）を生成する。
【００９４】
表示装置は、補間左眼画像（Ｌ１［ｎ］）を示すデータ信号のうちで第１フィールドに表示される左眼画像（ＬＥ１［ｎ］）を示すデータ信号を選択および第１グループ画素に供給する。表示装置は、補間右眼画像（Ｒ１［ｎ］）を示すデータ信号のうちで第２フィールドに表示される補間右眼画像（ＲＯ１［ｎ］）を示すデータ信号を選択および第２グループ画素に供給する。
【００９５】
表示装置は、ｎ＋１番目の原本左眼画像（Ｌ［ｎ＋１］）を示すデータ信号のうちで第１フィールドに表示される左眼画像（ＬＥ［ｎ＋１］）を示すデータ信号を選択および第１グループ画素に供給する。表示装置は、ｎ＋１番目の原本右眼画像（Ｒ［ｎ＋１］）を示すデータ信号のうちで第２フィールドに表示される右眼画像（ＲＯ［ｎ＋１］）を示すデータ信号を選択および第２グループ画素に供給する。
【００９６】
表示装置は、第１フィールド（ＥＦＤ）に左眼画像（ＬＥ［ｎ］）および補間左眼画像（ＬＥ１［ｎ］）を表示し、第２フィールド（ＯＦＤ）に右眼画像（ＲＯ［ｎ］）、補間右眼画像（ＲＯ１［ｎ］）を表示する。その後、表示装置は、第１フィールド（ＥＦＤ）に左眼画像（ＬＥ［ｎ＋１］）と補間左眼画像（図示せず）を表示し、第２フィールド（ＯＦＤ）に右眼画像（ＲＯ［ｎ＋１］）と補間右眼画像（図示せず）を表示する。表示装置はこのような動作を繰り返して立体映像を表示する。
【００９７】
第１フィールドの発光時間と第２フィールドの発光時間は時間的に区分されるため、表示装置は、図５に示すように、左眼画像（ＬＥ［ｎ］）、右眼画像（ＲＯ［ｎ］）、補間左眼画像（ＬＥ１［ｎ］）、補間右眼画像（ＲＯ１［ｎ］）、左眼画像（ＬＥ［ｎ＋１］）、および右眼画像（ＲＯ［ｎ＋１］）を順に表示する。
図６は、補間周波数が立体映像表示周波数の２倍である２４０Ｈｚの場合、表示装置が生成された補間画像および原本画像を選択して表示する方法を示す図である。
【００９８】
図６に示すように、表示装置は、補間周波数によって３枚の補間左眼画像（Ｌ１［ｎ］、Ｌ２［ｎ］、Ｌ３［ｎ］）および３枚の補間右眼画像（Ｒ１［ｎ］、Ｒ２［ｎ］、Ｒ３［ｎ］）を生成する。このとき、立体映像表示周波数は１２０Ｈｚであるため、単位時間１／６０秒間に表示される画像は４枚である。
【００９９】
表示装置は、補間左眼画像および補間右眼画像のうちで補間右眼画像（ＲＯ１［ｎ］）、補間左眼画像（ＬＥ２［ｎ］）、および補間右眼画像（ＲＯ３［ｎ］）を選択し、左眼画像（ＬＥ［ｎ］）、補間右眼画像（ＲＯ１［ｎ］）、補間左眼画像（ＬＥ２［ｎ］）、および補間右眼画像（ＲＯ３［ｎ］）および左眼画像（ＬＥ［ｎ＋１］）を順に表示する。図６に示されてはいないが、同じ方式によって左眼画像（ＬＥ［ｎ＋１］）の次には補間右眼画像（ＲＯ１［ｎ＋１］）が表示される。
【０１００】
以下、本発明の他の実施形態により、連接発光モードによって立体映像が表示される方法について説明する。連接発光モードは、第１フィールドに表示される複数の画素および第２フィールドに表示される複数の画素を区分された２つのブロックが時差をおいて発光する場合、時差によって発生し得るモーションアーチファクト（ｍｏｔｉｏｎ  ａｒｔｉｆａｃｔ）を防ぐための発光モードである。
【０１０１】
図７は、従来の表示装置で発生し得るモーションアーチファクトを示す図である。モーションアーチファクトは、画素のパネル内の配置がパターンで視認されるものである。図７に示すように、第１フィールドおよび第２フィールドそれぞれの画素の配置が視認される。これにより、図７に示すように、２つのグループ配置によって各グループのブロックの周縁がずれて見えるモーションアーチファクトが発生することがある。
【０１０２】
モーションアーチファクトを防ぐための従来の実施形態は、補間画像を生成して原本画像の間に挿入する発光モードを用いる。本発明の他の実施形態は、補間画像なく連接発光モードでモーションアーチファクトを防ぐ。
図８は、本発明の実施形態に係る駆動方法のうちの連接発光モードによって立体映像を表示する場合、その駆動方法を示す図である。
【０１０３】
連接発光モードにおいて、ｎ番目の原本左眼画像（Ｌ［ｎ］）は、第１フィールドの一フレーム発光期間（１ＦＥ’［ｎ］＿４）およびフレーム発光期間（１ＦＥ’［ｎ］＿４）に隣接する第２フィールドの一フレーム発光期間（１ＦＯ’［ｎ］＿４）に表示され、ｎ番目の原本右眼画像（Ｒ［ｎ］）は、第１フィールドの一フレーム発光期間（２ＦＥ’［ｎ］＿４）およびフレーム発光期間（２ＦＥ’［ｎ］＿４）に隣接する第２フィールドの一フレーム発光期間（２ＦＯ’［ｎ］＿４）に表示される。
【０１０４】
ｎ番目の原本左眼画像（Ｌ［ｎ］）のうちの第１フィールドの発光期間（１ＦＥ’［ｎ］＿４）に表示される部分は左眼画像（ＬＥ［ｎ］）であり、第２フィールドの発光期間（１ＦＯ’［ｎ］＿４）に表示される部分は左眼画像（ＬＯ［ｎ］）である。第１グループ画素に発光期間（１ＦＥ’［ｎ］＿４）に表示される第１左眼画像（ＬＥ［ｎ］）、および第２グループ画素に発光期間（１ＦＯ’［ｎ］＿４）に表示される第２左眼画像（ＬＯ［ｎ］）を合わせれば原本左眼画像（Ｌ［ｎ］）となる。
【０１０５】
同様に、ｎ番目の原本右眼画像（Ｌ［ｎ］）のうちの第１フィールドの発光期間（２ＦＥ’［ｎ］＿４）に表示される部分は右眼画像（ＲＥ［ｎ］）であり、第２フィールドの発光期間（２ＦＯ’［ｎ］＿４）に表示される部分は右眼画像（ＲＯ［ｎ］）である。第１グループ画素に発光期間（２ＦＥ’［ｎ］＿４）に表示される右眼画像（ＲＥ［ｎ］）、および第２グループ画素に発光期間（２ＦＯ’［ｎ］＿４）に表示される右眼画像（ＲＯ［ｎ］）を合わせれば原本右眼画像（Ｒ［ｎ］）となる。
【０１０６】
図８において、シャッター眼鏡の左眼および右眼それぞれが開閉する時点は矢印で示した。時点ＳＴ１１およびＳＴ１３で左眼が開いて右眼が閉じ、時点ＳＴ１２で右眼が開いて左眼が閉じる。
図９は、表示装置が原本左眼画像および原本右眼画像を連接発光モードによって選択する方法を示す図である。
【０１０７】
図９に示すように、表示装置は、ｎ番目の原本左眼画像（Ｌ［ｎ］）を示すデータ信号を分けて第１グループ画素に左眼画像（ＬＥ［ｎ］）を示すデータ信号を伝達し、第２グループ画素に左眼画像（ＬＯ［ｎ］）を示すデータ信号を伝達する。表示装置は、第１フィールドおよび第２フィールドそれぞれの一フレームのうちの発光期間に左眼画像（ＬＥ［ｎ］）および左眼画像（ＬＯ［ｎ］）を表示する。
【０１０８】
表示装置は、ｎ番目の原本右眼画像（Ｒ［ｎ］）を示すデータ信号を分けて第１グループ画素に右眼画像（ＲＥ［ｎ］）を示すデータ信号を伝達し、第２グループ画素に右眼画像（ＲＯ［ｎ］）を示すデータ信号を伝達する。表示装置は、第１フィールドおよび第２フィールドそれぞれの一フレーム（左眼画像が表示されたフレームの次のフレーム）のうちの発光期間に右眼画像（ＲＥ［ｎ］）および右眼画像（ＲＯ［ｎ］）を表示する。
【０１０９】
表示装置は、ｎ＋１番目の原本左眼画像（Ｌ［ｎ＋１］）および原本右眼画像（Ｒ［ｎ＋１］）も同じ方式によって表示する。
以下、平面映像を表示する場合表示装置の動作を説明する。
図１０は、等間隔発光モードによって平面映像を表示する場合、その駆動方法を示す図である。
図１０は、平面映像表示周波数が１２０Ｈｚである場合、すなわち、１秒間に第１フィールドに１２０フレームおよび第２フィールドに１２０フレームが表示される。
【０１１０】
図１０は、１／６０秒の期間に表示される画像を図式化して示す図である。外部から表示装置に入力される映像信号が平面映像を表示する信号である場合、平面映像信号は１秒に原本平面画像６０枚を含む。
したがって、表示装置は、１秒間に６０枚の原本平面画像の他に１８０枚の補間平面をさらに表示することができる。すなわち、２枚の原本平面画像の間に３枚の補間平面画像がさらに表示される。２枚の原本平面画像の間に３枚の補間平面画像が生成されるためには、補間周波数が少なくとも平面映像表示周波数の２倍となければならない。
【０１１１】
図１０に示すように、単位時間（１／６０秒）（Ｔ３）に平面映像表示周波数１２０Ｈｚによって表示される画像は４枚である。すなわち、単位時間（Ｔ３）は、４つのフレームの発光期間を含む。単位時間（Ｔ３）は期間（Ｔ３１）と期間（Ｔ３２）に区分され、期間（Ｔ３１）に原本平面画像および補間画像が表示されて期間（Ｔ３２）に２つの補間画像が表示される。
【０１１２】
期間（Ｔ３１）で、第１フィールドの一フレーム発光期間（１ＦＥ’’［ｎ］＿４）にｎ番目の平面画像（ＦＥ［ｎ］）が表示され、第２フィールドの一フレーム発光期間（１ＦＯ’’［ｎ］＿４）に補間画像（ＦＯ１［ｎ］）が表示される。
期間（Ｔ３２）で、第１フィールドの一フレームの発光期間（２ＦＥ’’［ｎ］＿４）に補間画像（ＦＥ２［ｎ］）が表示され、第２フィールドの一フレーム発光期間（２ＦＯ’’［ｎ］＿４）に補間画像（ＦＯ３［ｎ］）が表示される。
【０１１３】
補間画像（ＦＯ１［ｎ］）、補間画像（ＦＥ２［ｎ］）、および補間画像（ＦＯ３［ｎ］）は、ｎ番目の原本平面画像とｎ＋１番目の原本平面画像の間の補間画像である。
図１１は、補間周波数が２４０Ｈｚである場合、表示装置が原本平面画像の間に生成された補間画像を選択して表示する方法を示す図である。
表示装置は、ｎ番目の原本平面画像（Ｆ［ｎ］）を示すデータ信号のうちで第１フィールドに表示される平面画像（ＦＥ［ｎ］）を示すデータ信号を選択および第１グループ画素に供給する。
【０１１４】
表示装置は、ｎ番目の原本平面画像（Ｆ［ｎ］）およびｎ＋１番目の原本平面画像（Ｆ［ｎ＋１］）の間に３つの補間画像（Ｆ１［ｎ］）、補間画像（Ｆ２［ｎ］）、および補間画像（Ｆ３［ｎ］）を生成する。
表示装置は、補間画像（Ｆ１［ｎ］）を示すデータ信号のうちで第２フィールドに表示される補間画像（ＦＯ１［ｎ］）を示すデータ信号を選択および第２グループ画素に供給する。その後、表示装置は、補間画像（Ｆ２［ｎ］）を示すデータ信号のうちで第１フィールドに表示される補間画像（ＦＥ２［ｎ］）を示すデータ信号を選択および第１グループ画素に供給する。表示装置は、補間画像（Ｆ３［ｎ］）を示すデータ信号のうちで第２フィールドに表示される補間画像（ＦＯ３［ｎ］）を示すデータ信号を選択および第２グループ画素に供給する。
【０１１５】
表示装置は、第１フィールド（ＥＦＤ）に平面画像（ＦＥ［ｎ］）および補間画像（ＦＥ２［ｎ］）を表示し、第２フィールド（ＯＦＤ）に補間画像（ＦＯ１［ｎ］）および補間画像（ＲＯ１［ｎ］）を表示する。その後、表示装置は、第１フィールド（ＥＦＤ）に平面画像（ＦＥ［ｎ＋１］）および補間画像（図示せず）を表示し、第２フィールド（ＯＦＤ）に２つの補間画像（図示せず）を表示する。表示装置はこのような動作を繰り返して平面映像を表示する。
【０１１６】
第１フィールドの発光時間と第２フィールドの発光時間は時間的に区分されるため、表示装置は、図１０に示すように、平面画像（ＦＥ［ｎ］）、補間画像（ＦＯ１［ｎ］）、補間画像（ＦＥ２［ｎ］）、補間画像（ＦＯ３［ｎ］）、および平面画像（ＦＥ［ｎ＋１］）を順に表示する。
【０１１７】
図１２は、本発明の他の実施形態に係る連接発光モードによって平面映像を表示する場合、その駆動方法を示す図である。
連接発光モードにおいて、ｎ番目の原本平面画像（ＦＥ［ｎ］）は、第１フィールドの一フレーム発光期間（１ＦＥ’’’［ｎ］＿４）およびフレーム発光期間（１ＦＥ’’’［ｎ］＿４）に隣接する第２フィールドの一フレーム発光期間（１ＦＯ’’’［ｎ］＿４）に表示される。補間画像（Ｆ１［ｎ］）は、第１フィールドの一フレーム発光期間（２ＦＥ’’’［ｎ］＿４）およびフレーム発光期間（２ＦＥ’’’［ｎ］＿４）に隣接する第２フィールドの一フレーム発光期間（２ＦＯ’’’［ｎ］＿４）に表示される。
【０１１８】
ｎ番目の原本平面画像（Ｆ［ｎ］）のうちの平面画像（ＦＥ［ｎ］）が第１フィールドの発光期間（１ＦＥ’’’［ｎ］＿４）に表示され、原本平面画像（Ｆ［ｎ］）のうちの平面画像（ＦＯ［ｎ］）が第２フィールドの発光期間（１ＦＯ’’’［ｎ］＿４）に表示される。
補間画像（Ｆ１［ｎ］）のうちの補間画像（ＦＥ１［ｎ］）が第１フィールドの発光期間（２ＦＥ’’’［ｎ］＿４）に表示され、補間画像（Ｆ１［ｎ］）のうちの補間画像（ＦＯ１［ｎ］）が第２フィールドの発光期間（２ＦＯ’’’［ｎ］＿４）に表示される。
【０１１９】
図１３は、表示装置が原本平面画像および補間画像を連接発光モードによって選択する方法を示す図である。
図１３において、補間周波数は１２０Ｈｚであり、原本平面画像（Ｆ［ｎ］およびＦ［ｎ＋１］）の間に１つの補間画像（Ｆ１［ｎ］）を生成する。
図１３に示すように、表示装置は、ｎ番目の原本平面画像（Ｆ［ｎ］）を示すデータ信号を分けて第１グループ画素に平面画像（ＦＥ［ｎ］）を示すデータ信号を伝達し、第２グループ画素に平面画像（ＦＯ［ｎ］）を示すデータ信号を伝達する。表示装置は、第１フィールドおよび第２フィールドそれぞれの一フレームのうちの発光期間に平面画像（ＦＥ［ｎ］）および平面画像（ＦＯ［ｎ］）を表示する。
【０１２０】
表示装置は、補間画像（Ｆ１［ｎ］）を示すデータ信号を分けて第１グループ画素に補間画像（ＦＥ１［ｎ］）を示すデータ信号を伝達し、第２グループ画素に補間画像（ＦＯ１［ｎ］）を示すデータ信号を伝達する。表示装置は、第１フィールドおよび第２フィールドそれぞれの一フレームのうちの発光期間に補間画像（ＦＥ１［ｎ］）および補間画像（ＦＯ１［ｎ］）を表示する。
表示装置は、ｎ＋１番目の原本平面画像（Ｆ［ｎ＋１］）を示すデータ信号を分けて第１グループ画素に平面画像（ＦＥ［ｎ＋１］）を示すデータ信号を伝達し、第２グループ画素に平面画像（ＦＯ［ｎ＋１］）を示すデータ信号を伝達する。
【０１２１】
このような方式により、表示装置は、原本平面画像および補間画像を表示する。
以上、立体映像表示周波数および平面映像表示周波数を１２０Ｈｚに設定し、補間周波数を１２０Ｈｚまたは２４０Ｈｚに設定した実施形態を説明したが、本発明はこれに限定されるものではない。
立体映像表示周波数および平面映像表示周波数が表示装置に含まれる駆動部の原価節減を理由に、６０Ｈｚの場合にも同じ方式が適用される。
【０１２２】
ただし、１秒間に表示される画像の数が半分になるだけである。具体的に、期間Ｔ１、Ｔ２、およびＴ３が１／１２０秒でなく１／６０秒になり、残りの期間も上述した期間の２倍になれば６０Ｈｚの実施形態となる。
また、単位周波数６０Ｈｚ（ＮＴＳＣ方式）の代わりに単位周波数５０Ｈｚ（ＰＡＬ方式）による場合にも、本発明の実施形態の期間が変わるだけで、駆動原理は同じである。
以下、図１４などを参照しながら、本発明の実施形態に係る表示パネルにおいて、電源線、補償制御信号を伝達する制御ラインなどの配列について詳細に説明する。
【０１２３】
図１４は、図２Ａに示す水平ライン配列方法によるとき、電源線と単位領域の間の連結構造を示す図である。
図１４に示すように、左側から右側に移動する方向（以下、水平方向）で複数の第１電源線（ＶＤＤＥＶ）および複数の第２電源線（ＶＤＤＯＶ）が配列されている。複数の第１電源線（ＶＤＤＥＶ）それぞれを区別するために数字を「ＶＤＤＥＶ」と共に表示し、複数の第２電源線（ＶＤＤＯＶ）それぞれを区別するために数字を「ＶＤＤＯＶ」と共に表示した。
【０１２４】
図１４に示すように、上から下に移動する方向（以下、垂直方向）で複数の第１電源線（ＶＤＤＥＨ）および複数の第２電源線（ＶＤＤＯＨ）が配列されている。複数の第１電源線（ＶＤＤＥＨ）それぞれを区別するために数字を「ＶＤＤＥＨ」と共に表示し、複数の第２電源線（ＶＤＤＯＨ）それぞれを区別するために数字を「ＶＤＤＯＨ」と共に表示した。
【０１２５】
また、複数の第１電源線のうちの水平方向に形成された第１電源線と垂直方向に形成された第１電源線を区別するために、「Ｖ」または「Ｈ」を表示した。同様に、複数の第２電源線のうちの水平方向に形成された第２電源線と垂直方向に形成された第２電源線を区別するために、「Ｖ」または「Ｈ」を表示した。
さらに、第１フィールド（ＥＦＤ）に発光する第１グループ画素に電源電圧（ＶＤＤ）を供給する電源線と第２フィールド（ＯＦＤ）に発光する第２グループ画素に電源電圧（ＶＤＤ）を供給する電源線を区別するために、「Ｅ」または「Ｈ」を区分した。
【０１２６】
図１４に示すように、複数の第１電源線（ＶＤＤＥＶ１−ＶＤＤＥＶ３）それぞれは複数の第１電源線（ＶＤＤＥＨ１、ＶＤＤＥＨ２）それぞれに交差し、交差する地点で互いに連結する網構造で配列されている複数の第２電源線（ＶＤＤＯＶ１−ＶＤＤＯＶ３）それぞれは複数の第２電源線（ＶＤＤＯＨ１−ＶＤＤＯＨ３）それぞれに交差し、交差する地点で互いに連結する網構造で配列されている。
【０１２７】
最初の行に配列されている複数の単位領域（Ｅ）は第１電源線（ＶＤＤＥＨ１）に連結しており、第１電源線（ＶＤＤＥＨ１）から電源電圧（ＶＤＤ）の供給を受ける。第３行に配列されている複数の単位領域（Ｅ）は第１電源線（ＶＤＤＥＨ２）に連結しており、第１電源線（ＶＤＤＥＨ２）から電源電圧（ＶＤＤ）の供給を受ける。
【０１２８】
第２行に配列されている複数の単位領域（Ｏ）は第２電源線（ＶＤＤＯＨ２）に連結しており、第２電源線（ＶＤＤＯＨ２）から電源電圧（ＶＤＤ）の供給を受ける。４番目の行に配列されている複数の単位領域（Ｏ）は第２電源線（ＶＤＤＯＨ３）に連結しており、第２電源線（ＶＤＤＯＨ３）から電源電圧（ＶＤＤ）の供給を受ける。
複数の第１電源線および複数の第２電源線それぞれは、対応する複数の単位領域と連結電極を通じて連結している。
【０１２９】
図１５は、図２Ａに示された水平ライン配列方法によるとき、電源線と単位領域の間の他の連結構造を示す図である。
図１４と比較し、複数の第１電源線間の連結関係および複数の第２電源線間の連結関係は同じである。
【０１３０】
１番目の列に配列されている複数の単位領域（Ｅ）は第１電源線（ＶＤＤＥＶ１）に連結しており、第１電源線（ＶＤＤＥＶ１）から電源電圧（ＶＤＤ）の供給を受ける。２番目の列および３番目の列に配列されている複数の単位領域（Ｅ）は第１電源線（ＶＤＤＥＶ２）に連結しており、第１電源線（ＶＤＤＥＶ２）から電源電圧（ＶＤＤ）の供給を受ける。４番目の列および５番目の列に配列されている複数の単位領域（Ｅ）は第１電源線（ＶＤＤＥＶ３）に連結しており、第１電源線（ＶＤＤＥＶ３）から電源電圧（ＶＤＤ）の供給を受ける。６番目の列に配列されている複数の単位領域（Ｅ）は第１電源線（ＶＤＤＥＶ４）に連結しており、第１電源線（ＶＤＤＥＶ４）から電源電圧（ＶＤＤ）の供給を受ける。
【０１３１】
１番目の列および２番目の列に配列されている複数の単位領域（Ｏ）は第２電源線（ＶＤＤＯＶ１）に連結しており、第２電源線（ＶＤＤＯＶ１）から電源電圧（ＶＤＤ）の供給を受ける。３番目の列および４番目の列に配列されている複数の単位領域（Ｏ）は第２電源線（ＶＤＤＯＶ２）に連結しており、第２電源線（ＶＤＤＯＶ２）から電源電圧（ＶＤＤ）の供給を受ける。５番目の列および６番目の列に配列されている複数の単位領域（Ｏ）は第２電源線（ＶＤＤＯＶ３）に連結しており、第２電源線（ＶＤＤＯＶ３）から電源電圧（ＶＤＤ）の供給を受ける。
【０１３２】
図１６は、図２Ａのように単位領域が配列されたとき、第１補償制御信号および第２補償制御信号を伝達する信号線が垂直方向に配列されたことを示す図である。
図１６に示すように、第１補償制御信号（ＧＣＥ）を伝達する複数の第１制御信号線（ＣＥＨ１、ＣＥＨ２）および第２補償制御信号（ＧＣＯ）を伝達する複数の第２制御信号線（ＣＯＨ１、ＣＯＨ２）それぞれは、互いに交互に配置される。図１６に示す配置は、複数の第１および第２制御信号線それぞれが交互に配置された一例であるが、本発明はこれに限定されるものではない。
【０１３３】
最初の行に配列されている複数の単位領域（Ｅ）は第１制御信号線（ＣＥＨ１）に連結しており、第１制御信号線（ＣＥＨ１）から第１補償制御信号（ＧＣＥ）の供給を受ける。３番目の行に配列されている複数の単位領域（Ｅ）は第１制御信号線（ＣＥＨ２）に連結しており、第１制御信号線（ＣＥＨ２）から第１補償制御信号（ＧＣＥ）の供給を受ける。
２番目の行に配列されている複数の単位領域（Ｏ）は第２制御信号線（ＣＯＨ１）に連結しており、第２制御信号線（ＣＯＨ１）から第２補償制御信号（ＧＣＯ）の供給を受ける。４番目の行に配列されている複数の単位領域（Ｏ）は第２制御信号線（ＣＯＨ２）に連結しており、第２制御信号線（ＣＯＨ２）から第２補償制御信号（ＧＣＯ）の供給を受ける。
【０１３４】
図１７は、図２Ａのように単位領域が配列されたとき、第１補償制御信号および第２補償制御信号を伝達する信号線が水平方向に配列されたことを示す図である。
図１７に示すように、第１補償制御信号（ＧＣＥ）を伝達する複数の第１制御信号線（ＣＥＶ１−ＣＥＶ４）および第２補償制御信号（ＧＣＯ）を伝達する複数の第２制御信号線（ＣＯＶ１−ＣＯＶ３）それぞれは、互いに交互に配置される。図１７に示す配置は、複数の第１および第２制御信号線それぞれが交互に配置された一例であるが、本発明はこれに限定されるものではない。
【０１３５】
１番目の列に配列されている複数の単位領域（Ｅ）は第１制御信号線（ＣＥＶ１）に連結しており、第１制御信号線（ＣＥＶ１）から第１補償制御信号（ＧＣＥ）の供給を受ける。２番目の列および３番目の列に配列されている複数の単位領域（Ｅ）は第１制御信号線（ＣＥＶ２）に連結しており、第１制御信号線（ＣＥＶ２）から第１補償制御信号（ＧＣＥ）の供給を受ける。４番目の列および５番目の列に配列されている複数の単位領域（Ｅ）は第１制御信号線（ＣＥＶ３）に連結しており、第１制御信号線（ＣＥＶ３）から第１補償制御信号（ＧＣＥ）の供給を受ける。６番目の列に配列されている複数の単位領域（Ｅ）は第１制御信号線（ＣＥＶ４）に連結しており、第１制御信号線（ＣＥＶ４）から第１補償制御信号（ＧＣＥ）の供給を受ける。
【０１３６】
１番目の列および２番目の列に配列されている複数の単位領域（Ｏ）は第２制御信号線（ＣＯＶ１）に連結しており、第２制御信号線（ＣＯＶ１）から第２補償制御信号（ＧＣＯ）の供給を受ける。３番目の列および４番目の列に配列されている複数の単位領域（Ｏ）は第２制御信号線（ＣＯＶ２）に連結しており、第２制御信号線（ＣＯＶ２）から第２補償制御信号（ＧＣＯ）の供給を受ける。５番目の列および６番目の列に配列されている複数の単位領域（Ｏ）は第２制御信号線（ＣＯＶ３）に連結しており、第２制御信号線（ＣＯＶ３）から第２補償制御信号（ＧＣＯ）の供給を受ける。
【０１３７】
次に、本発明の実施形態のうち、図２Ｃに示す１×１ドット（ＤＯＴ）配列によって複数の第１単位領域（Ｅ）および複数の第２単位領域（Ｏ）が配列された表示パネルにおける電源線および制御信号線の配置について、図１８などを参照しながら説明する。
図１８は、図２Ｃに示す１×１ドット配列方法によるとき、電源線と単位領域の間の連結構造を示す図である。
【０１３８】
図１８に示すように、水平方向に複数の第１電源線（ＶＤＤＥＶ１−ＶＤＤＥＶ４）および複数の第２電源線（ＶＤＤＯＶ１−ＶＤＤＯＶ３）が配列されている。また、垂直方向に複数の第１電源線（ＶＤＤＥＨ１、ＶＤＤＥＨ２）および複数の第２電源線（ＶＤＤＯＨ１−ＶＤＤＯＨ３）が配列されている。
【０１３９】
図１８に示すように、複数の第１電源線（ＶＤＤＥＶ１−ＶＤＤＥＶ３）それぞれと複数の第１電源線（ＶＤＤＥＨ１、ＶＤＤＥＨ２）それぞれが交差し、交差する地点で互いに連結する網構造は図１４と同じである。同様に、複数の第２電源線（ＶＤＤＯＶ１−ＶＤＤＯＶ３）それぞれと複数の第２電源線（ＶＤＤＯＨ１−ＶＤＤＯＨ３）それぞれが交差し、交差する地点で互いに連結する網構造は図１４と同じである。
【０１４０】
最初の行および２番目の行に配列されている複数の単位領域（Ｅ）は第１電源線（ＶＤＤＥＨ１）に連結しており、第１電源線（ＶＤＤＥＨ１）から電源電圧（ＶＤＤ）の供給を受ける。３番目の行および４番目の行に配列されている複数の単位領域（Ｅ）は第１電源線（ＶＤＤＥＨ２）に連結しており、第１電源線（ＶＤＤＥＨ２）から電源電圧（ＶＤＤ）の供給を受ける。
【０１４１】
最初の行に配列されている複数の単位領域（Ｏ）は第２電源線（ＶＤＤＯＨ１）に連結しており、第２電源線（ＶＤＤＯＨ１）から電源電圧（ＶＤＤ）の供給を受ける。２番目の行および３番目の行に配列されている複数の単位領域（Ｏ）は第２電源線（ＶＤＤＯＨ２）に連結しており、第２電源線（ＶＤＤＯＨ２）から電源電圧（ＶＤＤ）の供給を受ける。４番目の行に配列されている複数の単位領域（Ｏ）は第２電源線（ＶＤＤＯＨ３）に連結しており、第２電源線（ＶＤＤＯＨ３）から電源電圧（ＶＤＤ）の供給を受ける。
【０１４２】
複数の第１電源線および複数の第２電源線それぞれは、対応する複数の単位領域と連結電極を通じて連結している。複数の連結電極は１×１ドット配列によって上方向および下方向のうちの対応する単位領域の位置によって一側方向に延長している。１×１ドット配列において、電源線を基準として対応する複数の単位領域がジグザグ形態に位置するため、複数の連結電極は交互に上方向または下方向に形成される。
図１９は、図２Ｃに示す１×１ドット配列方法によるとき、電源線と単位領域の間の他の連結構造を示す図である。
【０１４３】
図１４と比較し、複数の第１電源線間の連結関係および複数の第２電源線間の連結関係は同じである。
１番目の列に配列されている複数の単位領域（Ｅ）は第１電源線（ＶＤＤＥＶ１）に連結しており、第１電源線（ＶＤＤＥＶ１）から電源電圧（ＶＤＤ）の供給を受ける。２番目の列および３番目の列に配列されている複数の単位領域（Ｅ）は第１電源線（ＶＤＤＥＶ２）に連結しており、第１電源線（ＶＤＤＥＶ２）から電源電圧（ＶＤＤ）の供給を受ける。４番目の列および５番目の列に配列されている複数の単位領域（Ｅ）は第１電源線（ＶＤＤＥＶ３）に連結しており、第１電源線（ＶＤＤＥＶ３）から電源電圧（ＶＤＤ）の供給を受ける。６番目の列に配列されている複数の単位領域（Ｅ）は第１電源線（ＶＤＤＥＶ４）に連結しており、第１電源線（ＶＤＤＥＶ４）から電源電圧（ＶＤＤ）の供給を受ける。
【０１４４】
１番目の列および２番目の列に配列されている複数の単位領域（Ｏ）は第２電源線（ＶＤＤＯＶ１）に連結しており、第２電源線（ＶＤＤＯＶ１）から電源電圧（ＶＤＤ）の供給を受ける。３番目の列および４番目の列に配列されている複数の単位領域（Ｏ）は第２電源線（ＶＤＤＯＶ２）に連結しており、第２電源線（ＶＤＤＯＶ２）から電源電圧（ＶＤＤ）の供給を受ける。５番目の列および６番目の列に配列されている複数の単位領域（Ｏ）は第２電源線（ＶＤＤＯＶ３）に連結しており、第２電源線（ＶＤＤＯＶ３）から電源電圧（ＶＤＤ）の供給を受ける。
【０１４５】
複数の第１電源線および複数の第２電源線それぞれは、対応する複数の単位領域と連結電極を通じて連結している。複数の連結電極は１×１ドット配列によって左側方向および右側方向のうちの対応する単位領域の位置によって一側方向に延長している。１×１ドット配列において、電源線を基準として対応する複数の単位領域がジグザグ形態に位置するため、複数の連結電極は交互に左側方向または右側方向に形成される。
図２０は、図２Ｃのように単位領域が配列されたとき、第１補償制御信号および第２補償制御信号を伝達する信号線が水平方向に形成されて垂直方向に沿って配列されたことを示す図である。
【０１４６】
図２０に示すように、第１補償制御信号（ＧＣＥ）を伝達する複数の第１制御信号線（ＣＥＨ１、ＣＥＨ２）および第２補償制御信号（ＧＣＯ）を伝達する複数の第２制御信号線（ＣＯＨ１−ＣＯＨ３）それぞれは、互いに交互に配置される。図２０に示す配置は、複数の第１および第２制御信号線それぞれが交互に配置された一例であるが、本発明はこれに限定されるものではない。
【０１４７】
最初の行および２番目の行に配列されている複数の単位領域（Ｅ）は第１制御信号線（ＣＥＨ１）に連結しており、第１制御信号線（ＣＥＨ１）から第１補償制御信号（ＧＣＥ）の供給を受ける。３番目の行および４番目の行に配列されている複数の単位領域（Ｅ）は第１制御信号線（ＣＥＨ２）に連結しており、第１制御信号線（ＣＥＨ２）から第１補償制御信号（ＧＣＥ）の供給を受ける。
【０１４８】
最初の行に配列されている複数の単位領域（Ｏ）は第２制御信号線（ＣＯＨ１）に連結しており、第２制御信号線（ＣＯＨ１）から第２補償制御信号（ＧＣＯ）の供給を受ける。２番目の行および３番目の行に配列されている複数の単位領域（Ｏ）は第２制御信号線（ＣＯＨ２）に連結しており、第２制御信号線（ＣＯＨ２）から第２補償制御信号（ＧＣＯ）の供給を受ける。４番目の行に配列されている複数の単位領域（Ｏ）は第２制御信号線（ＣＯＨ３に連結しており、第２制御信号線（ＣＯＨ３）から第２補償制御信号（ＧＣＯ）の供給を受ける。
【０１４９】
複数の第１制御信号線および複数の第２制御信号線それぞれは、対応する複数の単位領域と連結電極を通じて連結している。複数の連結電極は１×１ドット配列によって上方向および下方向のうちの対応する単位領域の位置によって一側方向に延長している。１×１ドット配列において、制御信号線を基準として対応する複数の単位領域がジグザグ形態に位置するため、複数の連結電極は交互に上方向または下方向に形成される。
図２１は、図２Ｃのように単位領域が配列されたとき、第１補償制御信号および第２補償制御信号を伝達する信号線が垂直方向に形成されて水平方向に沿って配列されたことを示す図である。
【０１５０】
図２１に示すように、第１補償制御信号（ＧＣＥ）を伝達する複数の第１制御信号線（ＣＥＶ１−ＣＥＶ４）および第２補償制御信号（ＧＣＯ）を伝達する複数の第２制御信号線（ＣＯＶ１−ＣＯＶ３）それぞれは、互いに交互に配置される。図２１に示す配置は、複数の第１および第２制御信号線それぞれが交互に配置された一例であるが、本発明はこれに限定されるものではない。
【０１５１】
１番目の列に配列されている複数の単位領域（Ｅ）は第１制御信号線（ＣＥＶ１）に連結しており、第１制御信号線（ＣＥＶ１）から第１補償制御信号（ＧＣＥ）の供給を受ける。２番目の列および３番目の列に配列されている複数の単位領域（Ｅ）は第１制御信号線（ＣＥＶ２）に連結しており、第１制御信号線（ＣＥＶ２）から第１補償制御信号（ＧＣＥ）の供給を受ける。４番目の列および５番目の列に配列されている複数の単位領域（Ｅ）は第１制御信号線（ＣＥＶ３）に連結しており、第１制御信号線（ＣＥＶ３）から第１補償制御信号（ＧＣＥ）の供給を受ける。６番目の列に配列されている複数の単位領域（Ｅ）は第１制御信号線（ＣＥＶ４）に連結しており、第１制御信号線（ＣＥＶ４）から第１補償制御信号（ＧＣＥ）の供給を受ける。
【０１５２】
１番目の列および２番目の列に配列されている複数の単位領域（Ｏ）は第２制御信号線（ＣＯＶ１）に連結しており、第２制御信号線（ＣＯＶ１）から第２補償制御信号（ＧＣＯ）の供給を受ける。３番目の列および４番目の列に配列されている複数の単位領域（Ｏ）は第２制御信号線（ＣＯＶ２）に連結しており、第２制御信号線（ＣＯＶ２）から第２補償制御信号（ＧＣＯ）の供給を受ける。５番目の列および６番目の列に配列されている複数の単位領域（Ｏ）は第２制御信号線（ＣＯＶ３）に連結しており、第２制御信号線（ＣＯＶ３）から第２補償制御信号（ＧＣＯ）の供給を受ける。
【０１５３】
複数の第１制御信号線および複数の第２制御信号線それぞれは、対応する複数の単位領域と連結電極を通じて連結している。複数の連結電極は１×１ドット配列によって左側方向および右側方向のうちの対応する単位領域の位置によって一側方向に延長している。１×１ドット配列において、制御信号線を基準として対応する複数の単位領域がジグザグ形態に位置するため、複数の連結電極は交互に左側方向または右側方向に形成される。
【０１５４】
図２２および図２３それぞれは、複数の単位領域（Ｅ、Ｏ）が図２Ｂに示す配列方法によるとき、電源線と単位領域の間の連結構造を示す図である。図１４と比較し、複数の第１電源線間の連結関係および複数の第２電源線間の連結関係は同じである。
図２２に示すように、１番目の列に配列されている複数の単位領域（Ｅ）は第１電源線（ＶＤＤＥＶ１）から右側方向に延長している複数の連結電極を通じて連結しており、第１電源線（ＶＤＤＥＶ１）から電源電圧（ＶＤＤ）の供給を受ける。３番目の列に配列されている複数の単位領域（Ｅ）は複数の連結電極を通じて第１電源線（ＶＤＤＥＶ２）に連結しており、第１電源線（ＶＤＤＥＶ２）から電源電圧（ＶＤＤ）の供給を受ける。５番目の列に配列されている複数の単位領域（Ｅ）は複数の連結電極を通じて第１電源線（ＶＤＤＥＶ３）に連結しており、第１電源線（ＶＤＤＥＶ３）から電源電圧（ＶＤＤ）の供給を受ける。
【０１５５】
２番目の列に配列されている複数の単位領域（Ｏ）は第２電源線（ＶＤＤＯＶ１）から右側方向に延長している複数の連結電極を通じて第２電源線（ＶＤＤＯＶ１）に連結しており、第２電源線（ＶＤＤＯＶ１）から電源電圧（ＶＤＤ）の供給を受ける。４番目の列に配列されている複数の単位領域（Ｏ）は複数の連結電極を通じて第２電源線（ＶＤＤＯＶ２）に連結しており、第２電源線（ＶＤＤＯＶ２）から電源電圧（ＶＤＤ）の供給を受ける。６番目の列に配列されている複数の単位領域（Ｏ）は複数の連結電極を通じて第２電源線（ＶＤＤＯＶ３）に連結しており、第２電源線（ＶＤＤＯＶ３）から電源電圧（ＶＤＤ）の供給を受ける。
【０１５６】
これとは異なり、図２３に示すように、１番目および２番目の行に配列されている複数の単位領域（Ｅ）は上下方向に延長している複数の連結電極を通じて第１電源線（ＶＤＤＥＨ１）に連結しており、第１電源線（ＶＤＤＥＨ１）から電源電圧（ＶＤＤ）の供給を受ける。３番目および４番目の行に配列されている複数の単位領域（Ｅ）は複数の連結電極を通じて第１電源線（ＶＤＤＥＨ２）に連結しており、第１電源線（ＶＤＤＥＨ２）から電源電圧（ＶＤＤ）の供給を受ける。
【０１５７】
１番目の行に配列されている複数の単位領域（Ｏ）は第２電源線（ＶＤＤＯＨ１）から下方向に延長している連結電極を通じて第２電源線（ＶＤＤＯＨ１）に連結しており、第２電源線（ＶＤＤＯＨ１）から電源電圧（ＶＤＤ）の供給を受ける。２番目および３番目の行に配列されている複数の単位領域（Ｏ）は第２電源線（ＶＤＤＯＨ２）から上下方向に延長している連結電極を通じて第２電源線（ＶＤＤＯＨ２）に連結しており、第２電源線（ＶＤＤＯＨ２）から電源電圧（ＶＤＤ）の供給を受ける。４番目の行に配列されている複数の単位領域（Ｏ）は第２電源線（ＶＤＤＯＨ３）から上方向に延長している連結電極を通じて第２電源線（ＶＤＤＯＨ３）に連結しており、第２電源線（ＶＤＤＯＨ３）から電源電圧（ＶＤＤ）の供給を受ける。
【０１５８】
図２４は、図２Ｂのように複数の単位領域が配列されたとき、第１補償制御信号および第２補償制御信号を伝達する信号線が水平方向に形成されて垂直方向に沿って配列されたことを示す図である。図２４において複数の第１および第２制御信号線は、図２０の配置と同じである。
１番目および２番目の行に配列されている複数の単位領域（Ｅ）は第１制御信号線（ＣＥＨ１）から上下方向に延長して形成されている連結電極を通じて第１制御信号線（ＣＥＨ１）に連結しており、第１制御信号線（ＣＥＨ１）から第１補償制御信号（ＧＣＥ）の供給を受ける。３番目の行および４番目の行に配列されている複数の単位領域（Ｅ）は複数の連結電極を通じて第１制御信号線（ＣＥＨ２）に連結しており、第１制御信号線（ＣＥＨ２）から第１補償制御信号（ＧＣＥ）の供給を受ける。
【０１５９】
最初の行に配列されている複数の単位領域（Ｏ）は第２制御信号線（ＣＯＨ１）から下方向に延長して形成されている複数の連結積極を通じて第２制御信号線（ＣＯＨ１）に連結しており、第２制御信号線（ＣＯＨ１）から第２補償制御信号（ＧＣＯ）の供給を受ける。２番目の行および３番目の行に配列されている複数の単位領域（Ｏ）は第２制御信号線（ＣＯＨ２）から上下方向に延長して形成されている複数の連結電極を通じて第２制御信号線（ＣＯＨ２）に連結しており、第２制御信号線（ＣＯＨ２）から第２補償制御信号（ＧＣＯ）の供給を受ける。４番目の行に配列されている複数の単位領域（Ｏ）は第２制御信号線（ＣＯＨ３）から上方向に延長して形成されている複数の連結電極を通じて第２制御信号線（ＣＯＨ３）に連結しており、第２制御信号線（ＣＯＨ３）から第２補償制御信号（ＧＣＯ）の供給を受ける。
【０１６０】
図２５は、図２Ｂのように複数の単位領域が配列されたとき、第１補償制御信号および第２補償制御信号を伝達する信号線が垂直方向に形成されて水平方向に沿って配列されたことを示す図である。図２５に示された複数の第１および第２制御信号線は、図２１と同じように配置される。
１番目の列に配列されている複数の単位領域（Ｅ）は第１制御信号線（ＣＥＶ１）から右側に延長して形成されている複数の連結電極を通じて第１制御信号線（ＣＥＶ１）に連結しており、第１制御信号線（ＣＥＶ１）から第１補償制御信号（ＧＣＥ）の供給を受ける。３番目の列および５番目の列に配列されている複数の単位領域（Ｅ）は第１制御信号線（ＣＥＶ２）および第１制御信号線（ＣＥＶ３）に複数の連結電極を通じて連結しており、第１制御信号線（ＣＥＶ２）および第１制御信号線（ＣＥＶ３）から第１補償制御信号（ＧＣＥ）の供給を受ける。
【０１６１】
２番目の列に配列されている複数の単位領域（Ｏ）は第２制御信号線（ＣＯＶ１）から右側方向に延長して形成されている複数の連結電極を通じて第２制御信号線（ＣＯＶ１）に連結しており、第２制御信号線（ＣＯＶ１）から第２補償制御信号（ＧＣＯ）の供給を受ける。４番目の列および６番目の列に配列されている複数の単位領域（Ｏ）は第２制御信号線（ＣＯＶ２）および第２制御信号線（ＣＯＶ３）に複数の連結電極を通じて連結しており、第２制御信号線（ＣＯＶ２）および第２制御信号線（ＣＯＶ３）から第２補償制御信号（ＧＣＯ）の供給を受ける。
【０１６２】
図２６および図２７それぞれは、複数の単位領域が図２Ｄに示す配列方法によるとき、電源線と単位領域の間の連結構造を示す図である。図１４と比較し、複数の第１電源線間の連結関係および複数の第２電源線間の連結関係は同じである。
図２６に示すように、最初の列に配列されている複数の単位領域（Ｅ）は第１電源線（ＶＤＤＥＶ１）から右側に延長して形成されている複数の連結電極を通じて第１電源線（ＶＤＤＥＶ１）に連結しており、第１電源線（ＶＤＤＥＶ１）から電源電圧（ＶＤＤ）の供給を受ける。２番目の列および３番目の列に配列されている複数の単位領域（Ｅ）は第１電源線（ＶＤＤＥＶ２）から右側または左側に延長して形成されている複数の連結電極を通じて第１電源線（ＶＤＤＥＶ２）に連結しており、第１電源線（ＶＤＤＥＶ２）から電源電圧（ＶＤＤ）の供給を受ける。４番目の列および５番目の列に配列されている複数の単位領域（Ｅ）は第１電源線（ＶＤＤＥＶ３）から右側または左側に延長して形成された複数の連結電極を通じて第１電源線（ＶＤＤＥＶ３）に連結しており、第１電源線（ＶＤＤＥＶ３）から電源電圧（ＶＤＤ）の供給を受ける。６番目の列に配列されている複数の単位領域（Ｅ）は第１電源線（ＶＤＤＥＶ４）から左側に形成されている複数の連結電極を通じて第１電源線（ＶＤＤＥＶ４）に連結しており、第１電源線（ＶＤＤＥＶ４）から電源電圧（ＶＤＤ）の供給を受ける。
【０１６３】
１番目の列および２番目の列に配列されている複数の単位領域（Ｏ）は第２電源線（ＶＤＤＯＶ１）から右側または左側に延長して形成された複数の連結電極を通じて第２電源線（ＶＤＤＯＶ１）に連結しており、第２電源線（ＶＤＤＯＶ１）から電源電圧（ＶＤＤ）の供給を受ける。３番目の列および４番目の列に配列されている複数の単位領域（Ｏ）は第２電源線（ＶＤＤＯＶ２）から右側または左側に延長して形成された複数の連結電極を通じて第２電源線（ＶＤＤＯＶ２）に連結しており、第２電源線（ＶＤＤＯＶ２）から電源電圧（ＶＤＤ）の供給を受ける。５番目の列および６番目の列に配列されている複数の単位領域（Ｏ）は第２電源線（ＶＤＤＯＶ３）から右側または左側に延長して形成された複数の連結電極を通じて第２電源線（ＶＤＤＯＶ３）に連結しており、第２電源線（ＶＤＤＯＶ３）から電源電圧（ＶＤＤ）の供給を受ける。
【０１６４】
これとは異なり、図２７に示すように、１番目および２番目の行に配列されている複数の単位領域（Ｅ）は第１電源線（ＶＤＤＥＨ１）から上下方向に延長して形成された複数の連結電極を通じて第１電源線（ＶＤＤＥＨ１）に連結しており、第１電源線（ＶＤＤＥＨ１）から電源電圧（ＶＤＤ）の供給を受ける。３番目および４番目の行に配列されている複数の単位領域（Ｅ）は上下方向に形成された複数の連結電極を通じて第１電源線（ＶＤＤＥＨ２）に連結しており、第１電源線（ＶＤＤＥＨ２）から電源電圧（ＶＤＤ）の供給を受ける。
【０１６５】
１番目の行に配列されている複数の単位領域（Ｏ）は第２電源線（ＶＤＤＯＨ１）から下方向に延長して形成された複数の連結電極を通じて第２電源線（ＶＤＤＯＨ１）に連結し、電源電圧（ＶＤＤ）の供給を受ける。２番目の行および３番目の行に配列されている複数の単位領域（Ｏ）は第２電源線（ＶＤＤＯＨ２）から上または下方向に延長して形成された複数の連結電極を通じて第２電源線（ＶＤＤＯＨ２）に連結し、電源電圧（ＶＤＤ）の供給を受ける。４番目の行に配列されている複数の単位領域（Ｏ）は第２電源線（ＶＤＤＯＨ３）から上方向に延長して形成された第２電源線（ＶＤＤＯＨ３）に連結し、電源電圧（ＶＤＤ）の供給を受ける。
【０１６６】
図２８は、図２Ｄのように複数の単位領域が配列されたとき、第１補償制御信号および第２補償制御信号を伝達する信号線が水平方向に形成されて垂直方向に沿って配列されたことを示す図である。図２８において、複数の第１および第２制御信号線は、図２０の配置と同じである。
【０１６７】
１番目および２番目の行に配列されている複数の単位領域（Ｅ）は第１制御信号線（ＣＥＨ１）から上下方向に延長して形成されている連結電極を通じて第１制御信号線（ＣＥＨ１）に連結しており、第１制御信号線（ＣＥＨ１）から第１補償制御信号（ＧＣＥ）の供給を受ける。３番目および４番目の行に配列されている複数の単位領域（Ｅ）は複数の連結電極を通じて第１制御信号線（ＣＥＨ２）に連結しており、第１制御信号線（ＣＥＨ２）から第１補償制御信号（ＧＣＥ）の供給を受ける。
【０１６８】
１番目の行に配列されている複数の単位領域（Ｏ）は第２制御信号線（ＣＯＨ１）から下方向に延長して形成されている複数の連結電極を通じて第２制御信号線（ＣＯＨ１）に連結しており、第２制御信号線（ＣＯＨ１）から第２補償制御信号（ＧＣＯ）の供給を受ける。２番目の行および３番目の行に配列されている複数の単位領域（Ｏ）は第２制御信号線（ＣＯＨ２）から上下方向に延長して形成されている複数の連結電極を通じて第２制御信号線（ＣＯＨ２）に連結しており、第２制御信号線（ＣＯＨ２）から第２補償制御信号（ＧＣＯ）の供給を受ける。４番目の行に配列されている複数の単位領域（Ｏ）は第２制御信号線（ＣＯＨ３）から上方向に延長して形成されている複数の連結電極を通じて第２制御信号線（ＣＯＨ３）に連結しており、第２制御信号線（ＣＯＨ３）から第２補償制御信号（ＧＣＯ）の供給を受ける。
【０１６９】
図２９は、図２Ｄのように単位領域が配列されたとき、第１補償制御信号および第２補償制御信号を伝達する信号線が垂直方向に形成されて水平方向に沿って配列されたことを示す図である。図２９に示す複数の第１および第２制御信号線は、図２１と同じように配置される。
【０１７０】
１番目の列に配列されている複数の単位領域（Ｅ）は第１制御信号線（ＣＥＶ１）から右側に延長して形成されている複数の連結電極を通じて第１制御信号線（ＣＥＶ１）に連結しており、第１制御信号線（ＣＥＶ１）から第１補償制御信号（ＧＣＥ）の供給を受ける。２番目の列および３番目の列に配列されている複数の単位領域（Ｅ）は第１制御信号線（ＣＥＶ２）から右側または左側に延長して形成された複数の連結電極を通じて第１制御信号線（ＣＥＶ２）に連結しており、第１制御信号線（ＣＥＶ２）から第１補償制御信号（ＧＣＥ）の供給を受ける。４番目の列および５番目の列に配列されている複数の単位領域（Ｅ）は第１制御信号線（ＣＥＶ３）から右側または左側に延長して形成された複数の連結電極を通じて第１制御信号線（ＣＥＶ３）に連結しており、第１制御信号線（ＣＥＶ３）から第１補償制御信号（ＧＣＥ）の供給を受ける。６番目の列に配列されている複数の単位領域（Ｅ）は第１制御信号線（ＣＥＶ１）から左側に延長して形成されている複数の連結電極を通じて第１制御信号線（ＣＥＶ４）に連結しており、第１制御信号線（ＣＥＶ４）から第１補償制御信号（ＧＣＥ）の供給を受ける。
【０１７１】
１番目および２番目の列に配列されている複数の単位領域（Ｏ）は第２制御信号線（ＣＯＶ１）から右側または左側方向に延長して形成されている複数の連結電極を通じて第２制御信号線（ＣＯＶ１）に連結しており、第２制御信号線（ＣＯＶ１）から第２補償制御信号（ＧＣＯ）の供給を受ける。３番目および４番目の列に配列されている複数の単位領域（Ｏ）は第２制御信号線（ＣＯＶ２）から右側または左側方向に延長して形成されている複数の連結電極を通じて第２制御信号線（ＣＯＶ２）に連結しており、第２制御信号線（ＣＯＶ２）から第２補償制御信号（ＧＣＯ）の供給を受ける。５番目および６番目の列に配列されている複数の単位領域（Ｏ）は第２制御信号線（ＣＯＶ３）から右側または左に延長して形成された複数の連結電極を通じて第２制御信号線（ＣＯＶ３）に連結しており、第２制御信号線（ＣＯＶ３）から第２補償制御信号（ＧＣＯ）の供給を受ける。
【０１７２】
以上、説明の便宜のために、単位領域が４×６マトリクスに配列されている表示パネルの一部のみを説明した。表示パネル全体に上述したような方式によって電源線および制御信号線が配列されている本発明が属する技術分野における通常の知識を有する者（以下、当業者）であれば、４×６マトリクスの例示からその技術的な思想を十分に理解および実施することができる。
【０１７３】
以下、本発明の実施形態に係る表示装置の具体的な構成を説明する。
図３０は、本発明の実施形態に係る表示装置を示す図である。
図３０に示すように、表示装置１０は、映像処理部１００、タイミング制御部２００、データ駆動部３００、走査駆動部４００、電源制御部５００、補償制御信号部６００、および表示部７００を含む。上述した表示パネルは、表示部７００だけでなく、映像処理部１００、タイミング制御部２００、データ駆動部３００、走査駆動部４００、電源制御部５００、および補償制御信号部６００のうちの少なくとも１つをさらに含む概念であってもよい。
【０１７４】
映像処理部１００は、入力信号（ＩｎＳ）から映像信号（ＩｍＳ）および同期信号を生成する。同期信号は、水平同期信号（Ｈｓｙｎｃ）、垂直同期信号Ｖ（ｓｙｎｃ）、およびメインクロック信号（ＣＬＫ）を含む。
映像処理部１００は、入力信号（ＩｎＳ）に含まれている映像を示す信号（以下、映像ソース信号）が立体映像を表示する信号である場合、左眼画像を示す左眼映像信号および右眼画像を示す右眼映像信号に区分する。
【０１７５】
また、映像処理部１００は、立体映像表示周波数および補間周波数によって映像ソース信号で補間画像を示す補間映像信号を生成する。映像処理部１００は、左眼映像信号をフレーム単位で区分し、連続するフレーム単位の左眼映像信号それぞれが示す左眼画像間の中間画像である補間左眼画像を示す補間左眼映像信号を生成する。生成された補間左眼映像信号のフレーム数は、補間周波数によって決定される。上述したとおり、立体映像表示周波数と補間周波数が同じであれば一フレームの補間左眼映像信号が生成されて、補間周波数が立体映像表示周波数の２倍であれば３フレームの補間左眼映像信号が生成される。
【０１７６】
同様に、映像処理部１００は、右眼映像信号をフレーム単位で区分し、連続するフレーム単位の右眼映像信号それぞれが示す右眼画像間の中間画像である補間右眼画像を示す補間右眼映像信号を生成する。生成された補間左眼映像信号のフレーム数は、補間周波数によって決定される。立体映像表示周波数と補間周波数が同じであれば一フレームの補間右眼映像信号が生成され、補間周波数が立体映像表示周波数の２倍であれば３フレームの補間右眼映像信号が生成される。
【０１７７】
原本左眼画像はフレーム単位の左眼映像信号に対応し、原本右眼画像はフレーム単位の右眼映像信号に対応する。補間左眼画像（Ｌ１、Ｌ２、Ｌ３）はフレーム単位の補間左眼映像信号に対応し、補間右眼画像（Ｒ１、Ｒ２、Ｒ３）はフレーム単位の補間右眼映像信号に対応する。
【０１７８】
映像処理部１００は、左眼映像信号、補間左眼映像信号、右眼映像信号、および補間右眼映像信号を選択したフィールド、垂直同期、および水平同期によって配列して映像信号（ＩｍＳ）を生成する。映像処理部１００は、左眼映像信号、補間左眼映像信号、右眼映像信号、および補間右眼映像信号それぞれから選択されたフィールドによる信号を抽出する。
【０１７９】
左眼映像信号が第１フィールドの発光期間に表示される場合、左眼映像信号のうちの第１グループ画素に伝達されるデータ信号に対応する信号のみが抽出される。このような方式により、補間左眼映像信号、右眼映像信号、および補間右眼映像信号それぞれから選択されたフィールドによる信号のみが抽出される。映像処理部１００は、このように抽出された信号を垂直同期によってフレーム別に区分し、水平同期によって各画素行別に区分して配列する。
【０１８０】
具体的に、図４に示す等間隔発光モードによる映像信号（ＩｍＳ）は、左眼画像（ＬＥ［ｎ］）および補間左眼画像（ＬＥ１［ｎ］）を含む映像信号、および右眼画像（ＲＯ［ｎ］）および補間右眼画像（ＲＯ１［ｎ］）を含む映像信号が同期によって配列された信号である。同期によって配列されているため、映像信号（ＩｍＳ）が直列信号である場合、映像信号（ＩｍＳ）には、左眼画像（ＬＥ［ｎ］）、右眼画像（ＲＯ［ｎ］）、補間左眼画像（ＬＥ１［ｎ］）、および補間右眼画像（ＲＯ１［ｎ］）を示す信号が配列されている。
【０１８１】
映像処理部１００が等間隔発光モードではない連接発光モードによる場合、補間映像信号を生成しない。映像処理部１００は、左眼映像信号および右眼映像信号を選択したフィールド、垂直同期、および水平同期によって配列して映像信号（ＩｍＳ）を生成する。映像処理部１００は、左眼映像信号および右眼映像信号それぞれから選択されたフィールドによる信号を抽出する。
【０１８２】
映像処理部１００は、左眼映像信号のうちの第１グループ画素（第１フィールド発光期間）に伝達されるデータ信号に対応する信号および第２グループ画素（第２フィールド発光期間）に伝達されるデータ信号に対応する信号を区分する。映像処理部１００は、右眼映像信号のうちの第１グループ画素（第１フィールドの発光期間）に伝達されるデータ信号に対応する信号および第２グループ画素（第２フィールドの発光期間）に伝達されるデータ信号に対応する信号を区分する。映像処理部１００は、このように区分された信号を垂直同期によってフレーム別に区分し、水平同期によって各画素行別に区分して配列する。
【０１８３】
具体的に、図９に示す等間隔発光モードによる映像信号（ＩｍＳ）は、左眼画像（ＬＥ［ｎ］）および左眼画像（ＬＯ［ｎ］）を含む左眼映像信号、および右眼画像（ＲＥ［ｎ］）および右眼画像（ＲＯ［ｎ］）を含む右眼映像信号が同期によって配列された信号である。同期によって配列されているため、映像信号（ＩｍＳ）が直列信号である場合、映像信号（ＩｍＳ）には左眼画像（ＬＥ［ｎ］）、左眼画像（ＬＯ［ｎ］）、右眼画像（ＲＥ［ｎ］）、右眼画像（ＲＯ［ｎ］）を示す信号が配列されている。
【０１８４】
映像処理部１００は、映像ソース信号が平面映像を表示する信号である場合、平面画像を示す映像ソース信号をフレーム単位で区分し、平面映像表示周波数および補間周波数によって映像ソース信号で補間画像を示す補間映像信号を生成する。
映像処理部１００は、連続するフレーム単位の映像ソース信号が示す画像間の中間画像である補間画像を示す補間映像信号を生成する。生成された補間映像信号のフレーム数は、補間周波数によって決定される。上述したとおり、平面映像表示周波数と補間周波数が同じであれば一フレームの補間映像信号が生成され、補間周波数が平面映像表示周波数の２倍であれば３フレームの補間映像信号が生成される。
【０１８５】
原本平面画像はフレーム単位の平面映像信号に対応し、補間平面画像（Ｆ１、Ｆ２、Ｆ３）はフレーム単位の補間映像信号に対応する。
映像処理部１００は、平面映像信号および補間映像信号を選択したフィールド、垂直同期、および水平同期によって配列して映像信号（ＩｍＳ）を生成する。映像処理部１００は、平面映像信号および補間映像信号それぞれから選択されたフィールドによる信号を抽出する。
【０１８６】
平面映像信号が第１フィールドの発光期間に表示される場合、平面映像信号のうちの第１グループ画素に伝達されるデータ信号に対応する信号のみが抽出される。このような方式により、補間映像信号から選択されたフィールドによる信号のみが抽出される。映像処理部１００は、このように抽出された信号を垂直同期によってフレーム別に区分し、水平同期によって各画素行別に区分して配列する。
【０１８７】
図１１に示すように、等間隔発光モードで補間周波数が２４０Ｈｚである場合、連続するフレーム単位の平面映像信号の間には３つのフレームの補間映像信号が生成される。フレーム単位の平面映像信号は、図１０では第１フィールドの発光期間（１ＦＥ’’［ｎ］＿４）で表示されるため、第１グループ画素に対応するデータ信号を示す信号のみが抽出される。３つのフレームの補間映像信号のうちの１番目のフレームの補間映像信号は第２フィールド、次のフレームの補間映像信号は第１フィールド、その後のフレームの補間映像信号は第２フィールドで選択されたため、これによるデータ信号を示す信号のみが抽出される。映像処理部１００は、このように抽出された信号を垂直および水平同期によって配列して映像信号（ＩｍＳ）を生成する。
【０１８８】
図１３で示すように、連接発光モードで補間周波数が１２０Ｈｚである場合、連続するフレーム単位の平面映像信号の間には一フレームの補間映像信号が生成される。フレーム単位の平面映像信号は、図１２では第１フィールドの発光期間（１ＦＥ’’’［ｎ］＿４）および第２フィールドの発光期間（１ＦＯ’’’［ｎ］＿４）で表示されるため、第１グループ画素に対応するデータ信号を示す信号と第２グループ画素に対応するデータ信号を示す信号に区分される。一フレームの補間映像信号は、第１フィールドの発光期間（２ＦＥ’’’［ｎ］＿４）および第２フィールドの発光期間（２ＦＯ’’’［ｎ］＿４）で表示されるため、第１グループ画素に対応するデータ信号を示す信号と第２グループ画素に対応するデータ信号を示す信号に区分される。映像処理部１００は、このように区分された信号を垂直および水平同期によって配列して映像信号（ＩｍＳ）を生成する。
【０１８９】
立体映像表示周波数または平面映像表示周波数が１２０Ｈｚである場合、表示部に全体スキャンが単位時間（１／６０秒）に４回起こるため、垂直同期信号（Ｖｓｙｎｃ）は２４０Ｈｚとなる。水平同期信号Ｈｓｙｎｃは、一フレーム期間のうちの走査期間３によって決定される周波数であり、走査期間３の間に第１グループ画素および第２グループ画素のうちのいずれか１つの全体画素にデータ信号が伝達されるために必要な周波数で設定される。
【０１９０】
具体的に、図２Ａに示すように、各行ごとに第１グループ画素と第２グループ画素が混ざっていない場合には、走査期間３の間に全体走査線のうちの半分だけがスキャンされればよい。したがって、走査期間３を全体走査線のうちの半分の個数で割れば、各走査線ごとに許容される走査期間となり、水平同期信号Ｈｓｙｎｃの周波数も決定される。
【０１９１】
しかし、図２Ｂ、図２Ｃ、および図２Ｄのように、各行ごとに第１グループ画素と第２グループ画素が混ざっている場合には、走査期間３の間に全体走査線がスキャンされなければならない。したがって、走査期間３を全体走査線の個数で割れば、各走査線ごとに許容される走査期間となり、水平同期信号（Ｈｓｙｎｃ）の周波数も決定される。
【０１９２】
メインクロック信号（ＣＬＫ）は、映像ソース信号の中に含まれている基本周波数を有するクロック信号であるか、映像処理部１００が必要に応じて適切に生成したクロック信号のうちの１つであってもよい。
タイミング制御部２００は、映像信号（ＩｍＳ）、垂直同期信号Ｖｓｙｎｃ、水平同期信号Ｈｓｙｎｃ、およびメインクロック信号（ＣＬＫ）によって第１〜第４駆動制御信号（ＣＯＮＴ１−ＣＯＮＴ４）および映像データ信号（ＩｍＤ）を生成する。
【０１９３】
タイミング制御部２００は、垂直同期信号（Ｖｓｙｎｃ）によってフレーム単位で映像信号（ＩｍＳ）を区分し、水平同期信号（Ｈｓｙｎｃ）によって走査ライン単位で映像信号（ＩｍＳ）を区分して映像データ信号（ＩｍＤ）を生成し、データ駆動部３００に第１駆動制御信号（ＣＯＮＴ１）と共に送信する。
データ駆動部３００は、第１駆動制御信号（ＣＯＮＴ１）によって入力された映像データ信号（ＩｍＤ）をサンプリングおよびホールディングし、複数のデータ線それぞれに複数のデータ信号（ｄａｔａ［１］−ｄａｔａ［ｍ］）を伝達する。
走査駆動部４００は、第２駆動制御信号（ＣＯＮＴ２）によって複数の走査信号（Ｓ［１］−Ｓ［ｎ］）を生成して走査期間３に対応する走査線に伝達する。
【０１９４】
電源制御部５００は、第３駆動制御信号（ＣＯＮＴ３）によって第１グループ画素および第２グループ画素それぞれのリセット期間１、補償期間２、走査期間３、および発光期間４によって電源電圧（ＥＶＤＤ、ＥＶＳＳ、ＯＶＤＤ、ＯＶＳＳ）のレベルを決定して電源線に供給する。
補償制御信号部６００は、第４駆動制御信号（ＣＯＮＴ４）によって第１グループ画素および第２グループ画素それぞれの補償期間２に補償制御信号（ＧＣＥ、ＧＣＯ）のレベルを決定して制御信号線に供給する。
【０１９５】
表示部７００は、第１グループ画素および第２グループ画素を含む表示領域であって、複数のデータ信号（ｄａｔａ［１］−ｄａｔａ［ｎ］）を伝達する複数のデータ線、複数の走査信号（Ｓ［１］−Ｓ［ｎ］）を伝達する複数の走査線、複数の電源線、および複数の制御信号線が形成されている。
【０１９６】
以下、図３１などを参照しながら、本発明の実施形態に係る表示装置の具体的な動作について説明する。
本発明の実施形態に係る駆動方式は、複数の電源電圧（ＥＶＤＤ、ＥＶＳＳ、ＯＶＤＤ、ＯＶＳＳ）が有するレベル数によって２種類に区分される。複数の電源電圧（ＥＶＤＤ、ＥＶＳＳ、ＯＶＤＤ、ＯＶＳＳ）それぞれが２種類のレベルを有するバイレベル（ｂｉ−ｌｅｖｅｌ）駆動方式と、複数の電源電圧（ＥＶＤＤ、ＥＶＳＳ、ＯＶＤＤ、ＯＶＳＳ）のうちのＥＶＤＤおよびＯＶＤＤは３つのレベルを有し、ＥＶＳＳおよびＯＶＳＳは固定しているトライレベル（ｔｒｉ−ｌｅｖｅｌ）駆動方式がある。
【０１９７】
まず、図３１を参照しながら、バイレベル駆動方式による表示装置の動作について説明する。
図３１は、バイレベル駆動方式による２つの電源電圧、走査信号、補償制御信号、およびデータ信号を示す図である。
図３１には、リセット期間１以前に初期化期間をさらに含むものとして示されているが、本発明はこれに限定されるものではなく、初期化期間を含まなくてもよい。
【０１９８】
図３１は、第１フィールドの一フレーム期間の信号の波形を示す図である。しかし、第２フィールドの一フレーム期間の信号の波形も同じである。各信号による画素の動作は、図３Ａを参照しながら共に説明する。
初期化期間は、ハイレベルであった走査信号（Ｓ［１］−Ｓ［ｎ］）がローレベルに減少する期間であり、このとき、データ信号（ｄａｔａ［１］−ｄａｔａ［ｍ］）がハイレベルであるため、駆動トランジスタ（ＥＴＲ）はターンオフされる。初期化期間には、すべての画素が特定の電圧に初期化される。フレームごとの動作が開始する前に初期化期間があるため、以前フレームの影響をなくし、すべての画素が同じ条件で補償動作およびデータ信号の入力動作を行うことができる。
【０１９９】
以前フレームの影響を受けないため、以前フレームに入力されたデータ信号によって駆動トランジスタの初期動作状態が変わることを防ぐことができる。初期状態が異なって発生する残像発現、モーションブラー、３Ｄ表示時の左右視点間のクロストーク（Ｃｒｏｓｓｔａｌｋ）などの画質劣化を防ぎ、画質が均一になる。
【０２００】
リセット期間１に電源電圧（ＥＶＳＳ）はハイレベル１２Ｖで維持され、複数のデータ信号（ｄａｔａ［１］−ｄａｔａ［ｎ］）はリセット期間１にローレベル０Ｖになって所定の期間（ＲＴ１）維持される。
データ信号（ｄａｔａ［１］−ｄａｔａ［ｎ］）の電圧が低いことによって画素の駆動トランジスタ（ＥＴＲおよびＯＴＲ）のゲート電圧が十分に下がり、駆動トランジスタ（ＥＴＲおよびＯＴＲ）がより多くの電流を流すことができる。リセット期間１に有機発光ダイオード（ＯＬＥＤ＿Ｅ、ＯＬＥＤ＿Ｏ＿）のアノード電圧を電源電圧（ＥＶＤＤ、ＯＶＤＤ）の電圧と同じになるように、有機発光ダイオード（ＯＬＥＤ）に内在する（ｉｎｔｒｉｎｓｉｃ）キャパシタに貯蔵された電圧（通常、ＶＳＳ対比０〜３Ｖ程度の高さ）を放電させる。すなわち、データ信号（ｄａｔａ［１］−ｄａｔａ［ｎ］）の電圧が最低値となって駆動トランジスタ（ＥＴＲおよびＯＴＲ）の電流駆動能力が最大化されるため、最短時間に有機発光ダイオード（ＯＬＥＤ）のアノード電圧を低めることができる。
【０２０１】
リセット期間１に、複数の走査信号（Ｓ［１］−Ｓ［ｎ］）のレベルは、リセット期間１のうちの少なくとも期間（ＲＴ１）と所定の期間が重複する期間にローレベルになければならない。図３１に示すリセット期間１に対応する３ブロックの期間のＨＬＨ、ＨＬＬ、ＬＬＨ、およびＬＬＬのうちのいずれか１つであってもよい。リセット期間１と補償期間２の間には所定の間隔（ｉｎｔｅｒｖａｌ）（ＰＴ１）が存在する。リセット期間１が終了した時点に、電源電圧（ＥＶＳＳ）はローレベル０Ｖに下降する。複数の走査信号（Ｓ［１］−Ｓ［ｎ］）がローレベルである状態でリセット期間１が終了すれば、複数の走査信号（Ｓ［１］−Ｓ［ｎ］）のレベル変化はない。図３１では、複数の走査信号（Ｓ［１］−Ｓ［ｎ］）のうちの走査信号（Ｓ［ｉ］）が示されている。
【０２０２】
補償期間２の開始時点に第１補償制御信号（ＧＣＥ）はローレベルに減少し、補償期間２にローレベルで維持される。複数のデータ信号（ｄａｔａ［１］−ｄａｔａ［ｍ］）はハイレベル６Ｖであり、電源電圧（ＥＶＤＤ）はローレベル３Ｖで維持されている。
第１補償制御信号（ＧＣＥ）によって補償トランジスタ（ＥＴＨ）がターンオンされて駆動トランジスタ（ＥＴＲ）はダイオード連結し、駆動トランジスタ（ＥＴＲ）のゲート電極には電源電圧（ＥＶＤＤ）から駆動トランジスタ（ＥＴＲ）の閾値電圧だけが差し引かれた電圧が供給される。このとき、補償キャパシタ（ＥＣＨ）は、データ信号（ｄａｔａ［ｊ］）の電圧と電源電圧（ＥＶＤＤ）から閾値電圧（ＶＴＨ）が差し引かれた電圧（ＥＶＤＤ−ＶＴＨ）の差に相当する電圧で充電される。
【０２０３】
補償期間２と走査期間３の間の所定の間隔（ＰＴ２）が存在し、間隔（ＰＴ２）のうちの複数の走査信号（Ｓ［１］−Ｓ［ｉ］）はすべてハイレベルとなる。
走査期間３に、複数の走査信号（Ｓ［１］−Ｓ［ｎ］）は順にローレベルとなり、スイッチングトランジスタ（ＥＴＳ）をターンオンさせる。スイッチングトランジスタ（ＥＴＳ）がターンオンされている期間に、データ信号（ｄａｔａ［ｊ］）が補償キャパシタ（ＥＣＨ）の他の電極および貯蔵キャパシタ（ＥＣＳ）の一電極が出会う接点（ＮＤ）に伝達される。
【０２０４】
補償キャパシタ（ＥＣＨ）の一電極は駆動トランジスタ（ＥＴＲ）のゲート電極に連結しており、フローティング状態である。接点（ＮＤ）の電圧変化量は貯蔵キャパシタ（ＥＣＳ）および補償キャパシタ（ＥＣＨ）間が容量比によって分配され、補償キャパシタ（ＥＣＨ）に分配された電圧変化量（ΔＶ）は駆動トランジスタ（ＥＴＲ）のゲート電圧に反映される。したがって、走査期間３に駆動トランジスタ（ＥＴＲ）のゲート電圧はＥＶＤＤ（３Ｖ）−ＶＴＨ＋ΔＶとなる。
【０２０５】
走査期間３が終了すれば、複数のデータ信号（ｄａｔａ［１］−ｄａｔａ［ｍ］）はハイレベルの電圧５Ｖとなり、走査期間３と発光期間４の間の所定の間隔（ＰＴ３）が存在する。
発光期間４が開始すれば、電源電圧（ＥＶＤＤ）はハイレベル１２Ｖに上昇し、複数の走査信号（Ｓ［１］−Ｓ［ｎ］）もハイレベルからさらに高いレベルに上昇する。走査信号（Ｓ［ｉ］）がさらに高いレベルに上昇すれば、スイッチングトランジスタ（ＥＴＳ）がフルオフされ、発光期間４に発生し得る漏洩電流を遮断することができる。発光期間４以前まではノード（ＭＤ）の電圧が大略データ線（Ｄｊ）の電圧範囲内にあったため、スイッチトランジスタ（ＥＴＳ）両端のドレイン−ソース（Ｄｒａｉｎ−Ｓｏｕｒｃｅ）間の電圧差が大きくない。
【０２０６】
発光期間４の開始時点に電源電圧（ＥＶＤＤ）が上昇すれば、キャパシタ（ＥＣＳおよびＥＣＨ）のカップリング（ｃｏｕｐｌｉｎｇ）作用によってノード（ＭＤ）の電圧と駆動トランジスタ（ＥＴＲ）のゲート電圧が同じ量だけ上昇する。
例えば、電源電圧（ＥＶＤＤ）が２Ｖから１２Ｖに上昇すれば、ノード（ＭＤ）の電圧も１０Ｖ上昇するため、スイッチングトランジスタ（ＥＴＳ）のドレイン−ソース電圧はそれだけ増加する。通常、トランジスタの漏洩電流はドレイン−ソース電圧に比例するため、ノード（ＭＤ）からデータ線に流れる漏洩電流が増加する。
【０２０７】
したがって、データ線（Ｄｊ）の電圧をカップリング（ｃｏｕｐｌｉｎｇ）によって上昇するノード（ＭＤ）電圧の少なくとも中間値程度に上げれば、スイッチングトランジスタ（ＥＴＳ）のドレイン−ソース電圧が減少して漏洩電流を低めることができる。
例えば、走査期間にデータ信号の電圧範囲が１〜６Ｖであれば、走査期間直後のノード（ＭＤ）の電圧もこの範囲内の値になるはずである。電源電圧（ＥＶＤＤ）が１０Ｖさらに上昇すれば、ノード（ＭＤ）の電圧範囲は１１〜１６Ｖとなり、最悪の場合には、データ線（Ｄｊ）の電圧は１Ｖ、ノード（ＭＤ）の電圧は１６Ｖとなり、スイッチングトランジスタのドレイン−ソース電圧が１５Ｖにもなる。しかし、発光期間４のデータ線（Ｄｊ）の電圧を１３．５Ｖに上げれば、最悪の場合には、ドレイン−ソース電圧は２．５Ｖにしかならない。したがって、漏洩電流を大略１／６（１５／２．５）に減らすことができる。
【０２０８】
電源電圧（ＥＶＤＤ）が上昇したため、駆動トランジスタ（ＥＴＲ）はソース電圧とゲート電圧の差による駆動電流が発生する。駆動トランジスタ（ＥＴＲ）のソース電圧（ＥＶＤＤ）（１２Ｖ）からゲート電圧（ＥＶＤＤ（３Ｖ）−ＶＴＨ＋ΔＶ）を引いた電圧から閾値電圧（ＶＴＨ）を再び引くため、駆動トランジスタ（ＥＴＲ）の駆動電流は電圧（９Ｖ−ΔＶ）の二乗に対応する電流となる。すなわち、駆動トランジスタ間の閾値電圧偏差によって駆動電流間の同一データ信号による偏差は発生しない。
【０２０９】
発光期間４が終了すれば、電源電圧（ＥＶＤＤ）はローレベル３Ｖとなり、発光オフ期間（ＰＴ４）が発生する。発光オフ期間（ＰＴ４）は次のフレームと現在のフレームの間の間隔であって、画素は発光しない。
図３１では、第１フィールド（ＥＦＤ）に発光する画素を例示して説明したが、第２フィールド（ＯＦＤ）に発光する画素もこれと同じような方法によって発光する。また、ハイレベルまたはローレベルで例示した電圧レベルは一例に過ぎず、本発明はこれに限定されるものではない。図３２は、バイレベル駆動方式によるとき、第１フィールドおよび第２フィールドを電源電圧と共に示した画像である。バイレベル駆動方式によるとき、電源電圧（ＥＶＳＳ）および電源電圧（ＯＶＳＳ）の区分なく一電源電圧を用いてもよい。
【０２１０】
このとき、第１フィールド（ＥＦＤ）の発光期間４と第２フィールド（ＯＦＤ）のリセット期間１は重なってはならず、第２フィールド（ＯＦＤ）の発光期間４と第１フィールド（ＥＦＤ）のリセット期間１は重なってはならない。
図３２に示すように、第１フィールド（ＥＦＤ）のリセット期間１および第２フィールド（ＯＦＤ）のリセット期間１で電源電圧（ＥＶＳＳ）はハイレベルとなり、その他の区間ではローレベルとなる。
【０２１１】
次に、図３３を参照しながら、トライレベル駆動方式による表示装置の動作について説明する。
図３３は、トライレベル駆動方式による２つの電源電圧、走査信号、補償制御信号、およびデータ信号を示す図である。トライレベル駆動方式は、図３１に示すバイレベル駆動方式に比べてリセット期間１における電源電圧（ＥＶＤＤ）および電源電圧（ＯＶＤＤ）のレベルが異なる。他の期間は同じであるため、同一する図面符号を用いて表示し、その詳細な説明は省略する。
【０２１２】
トライレベル駆動方式のリセット期間１で、電源電圧（ＥＶＤＤ）は、バイレベル駆動方式のリセット期間１における電源電圧（ＥＶＤＤ）よりもさらに低いローレベル−３Ｖとなる。トライレベル駆動方式のリセット期間１で、電源電圧（ＥＶＳＳ）は、ローレベル０Ｖで維持されるだけで上昇しない。
電源電圧（ＥＶＤＤ）が−３Ｖとなれば、有機発光ダイオード（ＯＬＥＤ＿Ｅ）のアノード電極電圧が−３Ｖに近い低い電圧となり、リセット動作が行われる。
【０２１３】
リセット期間１のうちの複数の走査信号（Ｓ［１］−Ｓ［ｎ］）のレベルはリセット動作と関係がないため、ハイレベルまたはローレベルであってもよい。
リセット期間１には、電源電圧（ＥＶＤＤ）と電源電圧（ＶＳＳ）の電圧差が逆転する。これにより、有機発光ダイオード（ＯＬＥＤ）のアノード電圧が電源電圧（ＥＶＤＤ）よりも高まり、駆動トランジスタの観点では有機発光ダイオード（ＯＬＥＤ）のアノードがソースとなる。駆動トランジスタ（ＥＴＲ、ＯＴＲ）のゲート電圧はほぼ電源電圧（ＥＶＤＤとＯＶＤＤ）と類似するが、有機発光ダイオード（ＯＬＥＤ＿Ｅ、ＯＬＥＤ＿Ｏ）のアノード電圧はこれよりも遥かに高い電圧、電源電圧（ＶＳＳ）＋有機発光ダイオード（ＯＬＥＤ＿Ｅ、ＯＬＥＤ＿Ｏ）に貯蔵されていた０〜３Ｖの電圧であるため、駆動トランジスタ（ＥＴＲ、ＯＴＲ）のゲート−ソース電圧が十分に負の電圧となり、駆動トランジスタ（ＥＴＲ、ＯＴＲ）はターンオンされる。このとき、駆動トランジスタ（ＥＴＲ、ＯＴＲ）を通じて流れる電流は、有機発光ダイオード（ＯＬＥＤ＿Ｅ、ＯＬＥＤ＿Ｏ）のアノードで電源電圧（ＥＶＤＤ、ＯＶＤＤ）方向に流れ、究極的には有機発光ダイオード（ＯＬＥＤ＿Ｅ、ＯＬＥＤ＿Ｏ）のアノード電圧が電源電圧（ＥＶＤＤ、ＯＶＤＤ）と同じになるまで流れる。
【０２１４】
ただし、電源電圧（ＥＶＤＤ、ＯＶＤＤ）を十分に低い電圧でなすことができず、駆動トランジスタ（ＥＴＲ、ＯＴＲ）のゲート電圧を十分に低めることができないこともある。このような場合、リセット期間１にデータ信号（ｄａｔａ［１］−ｄａｔａ［ｍ］）の電圧を低い電圧で設定し、走査信号（Ｓ［１］−Ｓ［ｎ］）をローレベルで設定してゲート電圧を下げてもよい。
【０２１５】
図３３では、データ信号が低い電圧となる場合も共に示した。しかし、本発明はこれに限定されるものではなく、上述したとおり、電源電圧（ＥＶＤＤ）が十分に低い場合、データ信号を低いレベルに変更せず、走査信号はすべてハイレベルでも問題ない。
リセット期間１のうちのリセット動作が完了すれば、電源電圧（ＥＶＤＤ）はローレベル−３Ｖからローレベル３Ｖに上昇する。
【０２１６】
図３４および図３５は、トライレベル駆動方式によるとき、第１フィールドおよび第２フィールドを電源電圧と共に示した画像である。電源電圧（ＥＶＳＳ）および電源電圧（ＯＶＳＳ）はスイング（ｓｗｉｎｇ）せずに一定のレベルに固定されているため、トライレベル駆動方式でも電源電圧（ＥＶＳＳ）および電源電圧（ＯＶＳＳ）は同じ電圧で駆動される。
【０２１７】
図３４に示すように、電源電圧（ＥＶＳＳ）がスイングしないため、第１フィールド（ＥＦＤ）のリセット期間１および補償期間２は第２フィールド（ＯＦＤ）の発光期間４と重なるようになり、第２フィールド（ＯＦＤ）のリセット期間１および補償期間２は第１フィールド（ＥＦＤ）の発光期間４と重なるようになる。
【０２１８】
また、図３５に示すように、第１フィールド（ＥＦＤ）の発光期間４と第２フィールド（ＯＦＤ）の発光期間が重なることもある。走査期間３が一フレーム期間の半分よりも短い期間のときに可能である。第１フィールド（ＥＦＤ）および第２フィールド（ＯＦＤ）の発光期間４が重なる期間があるため、モーションアーチファクトが減少して発光時間を極大化することができる。
【０２１９】
以上、本発明の実施形態によって第１フィールドおよび第２フィールドに区分された表示装置を動作させる方法を参照した。このような駆動方式によるとき、モーションアーチファクトを減少させることができ、発光時間を最大限確保し、有機発光ダイオードを含む表示装置の大型化を実現させることができる。
以上、本発明の実施形態について詳細に説明したが、本発明の権利範囲はこれに限定されるものではなく、添付した特許請求の範囲で定義している本発明の基本概念を利用した当業者の多様な変形および改良形態も本発明の権利範囲に属するといえる。
【符号の説明】
【０２２０】
１０：表示装置
１００：映像処理部
２００：タイミング制御部
３００：データ駆動部
４００：走査駆動部
５００：電源制御部
６００：補償制御信号部
７００：表示部
【図１Ａ】
0006306099.tif 000002
【図１Ｂ】
0006306099.tif 000003
【図１Ｃ】
0006306099.tif 000004
【図２Ａ】
0006306099.tif 000005
【図２Ｂ】
0006306099.tif 000006
【図２Ｃ】
0006306099.tif 000007
【図２Ｄ】
0006306099.tif 000008
【図３Ａ】
0006306099.tif 000009
【図３Ｂ】
0006306099.tif 000010
【図４】
0006306099.tif 000011
【図５】
0006306099.tif 000012
【図６】
0006306099.tif 000013
【図７】
0006306099.tif 000014
【図８】
0006306099.tif 000015
【図９】
0006306099.tif 000016
【図１０】
0006306099.tif 000017
【図１１】
0006306099.tif 000018
【図１２】
0006306099.tif 000019
【図１３】
0006306099.tif 000020
【図１４】
0006306099.tif 000021
【図１５】
0006306099.tif 000022
【図１６】
0006306099.tif 000023
【図１７】
0006306099.tif 000024
【図１８】
0006306099.tif 000025
【図１９】
0006306099.tif 000026
【図２０】
0006306099.tif 000027
【図２１】
0006306099.tif 000028
【図２２】
0006306099.tif 000029
【図２３】
0006306099.tif 000030
【図２４】
0006306099.tif 000031
【図２５】
0006306099.tif 000032
【図２６】
0006306099.tif 000033
【図２７】
0006306099.tif 000034
【図２８】
0006306099.tif 000035
【図２９】
0006306099.tif 000036
【図３０】
0006306099.tif 000037
【図３１】
0006306099.tif 000038
【図３２】
0006306099.tif 000039
【図３３】
0006306099.tif 000040
【図３４】
0006306099.tif 000041
【図３５】
0006306099.tif 000042